(57)【要約】本発明の実施形態は、課金情報を処理するための方法、装置、およびシステムを提供する。方法は、モバイル管理デバイスの第２のネットワークの識別子を受信する第１のネットワークの通話詳細記録情報生成デバイスであって、第１のネットワークと第２のネットワークが異なるネットワークである、通話詳細記録情報生成デバイスと、加入者の通話詳細記録情報を生成する通話詳細記録情報生成デバイスであって、加入者の通話詳細記録情報が第２のネットワークの識別子を備える、通話詳細記録情報生成デバイスとを備え、課金デバイスが、加入者の通話詳細記録情報に従い、モビリティ管理デバイスの第２のネットワークと第１のネットワークとの間のネットワーク間費用決済を実行できるようにして、それによって、異なるネットワークオペレータ間のネットワーク間費用決済を実装する。
2015537404.tif 000002
【特許請求の範囲】
【請求項１】
第１のネットワークの課金データ記録情報生成デバイスによって、モビリティ管理デバイスが属する第２のネットワークの識別子を受信するステップであって、前記第１のネットワークと前記第２のネットワークが異なるネットワークである、ステップと、
前記課金データ記録情報生成デバイスによって、ユーザ課金データ記録情報を生成するステップであって、前記ユーザ課金データ記録情報が前記第２のネットワークの前記識別子を含む、ステップと
を備えることを特徴とする課金情報処理方法。
【請求項２】
課金データ記録情報生成デバイスによって、モビリティ管理デバイスが属する第２のネットワークの識別子を受信する前記ステップは、
前記課金データ記録情報生成デバイスによって、前記モビリティ管理デバイスによって送信された要求メッセージを受信するステップであって、前記要求メッセージが、前記モビリティ管理デバイスが属する前記第２のネットワークの前記識別子を備える、ステップを備えることを特徴とする請求項１に記載の方法。
【請求項３】
前記要求メッセージは、ロケーション更新要求メッセージ、サービス要求メッセージ、セッション作成要求メッセージ、およびベアラ修正要求のうちの少なくとも１つを備えることを特徴とする請求項２に記載の方法。
【請求項４】
前記第２のネットワークの前記識別子は、前記第２のネットワークのＰＬＭＮ識別子、前記第２のネットワークのセル識別子、および前記モビリティ管理デバイスの識別子のうちの少なくとも１つを備えることを特徴とする請求項１乃至３のいずれか一項に記載の方法。
【請求項５】
前記課金データ記録情報生成デバイスは、モバイルサービス交換センタサーバＭＳＣサーバ、サービング汎用パケット無線サービスサポートノードＳＧＳＮ、ゲートウェイ汎用パケット無線サービスサポートノードＧＧＳＮ、サービングゲートウェイＳＧＷ、パケットデータネットワークゲートウェイＰＧＷ、およびモビリティ管理エンティティＭＭＥのうちの少なくとも１つを備えることを特徴とする請求項１乃至３のいずれか一項に記載の方法。
【請求項６】
前記モビリティ管理デバイスは、モビリティ管理エンティティＭＭＥと、サービング汎用パケット無線サービスサポートノードＳＧＳＮとのうちの少なくとも１つを備えることを特徴とする請求項１乃至３のいずれか一項に記載の方法。
【請求項７】
第１のネットワークに配置された課金データ記録情報生成デバイスであって、
モビリティ管理デバイスが属する第２のネットワークの識別子を受信するように構成された受信モジュールであって、前記課金データ記録情報生成デバイスが属する前記第１のネットワークと前記第２のネットワークが異なるネットワークである受信モジュールと、
前記受信モジュールによって受信された前記第２のネットワークの前記識別子に従い、ユーザ課金データ記録情報を生成するように構成されたユーザ課金データ記録情報生成モジュールであって、前記ユーザ課金データ記録情報が前記第２のネットワークの前記識別子を備えるユーザ課金データ記録情報生成モジュールと
を備えることを特徴とする課金データ記録情報生成デバイス。
【請求項８】
前記受信モジュールは、前記モビリティ管理デバイスによって送信された要求メッセージを受信するように特に構成され、前記要求メッセージが、前記モビリティ管理デバイスが属する前記第２のネットワークの前記識別子を備えることを特徴とする請求項７に記載の課金データ記録情報生成デバイス。
【請求項９】
前記要求メッセージは、ロケーション更新要求メッセージ、サービス要求メッセージ、セッション作成要求メッセージ、およびベアラ修正要求のうちの少なくとも１つを備えることを特徴とする請求項８に記載の課金データ記録情報生成デバイス。
【請求項１０】
前記第２のネットワークの前記識別子は、前記第２のネットワークのＰＬＭＮ識別子、前記第２のネットワークのセル識別子、および前記モビリティ管理デバイスの識別子のうちの少なくとも１つを備えることを特徴とする請求項７乃至９のいずれか一項に記載の課金データ記録情報生成デバイス。
【請求項１１】
前記課金データ記録情報生成デバイスは、モバイルサービス交換センタサーバＭＳＣサーバ、サービング汎用パケット無線サービスサポートノードＳＧＳＮ、ゲートウェイ汎用パケット無線サービスサポートノードＧＧＳＮ、サービングゲートウェイＳＧＷ、パケットデータネットワークゲートウェイＰＧＷ、およびモビリティ管理エンティティＭＭＥのうちの少なくとも１つを備えることを特徴とする請求項７乃至９のいずれか一項に記載の課金データ記録情報生成デバイス。
【請求項１２】
モビリティ管理デバイスが属する第２のネットワークの識別子に従い、第１のネットワークの課金データ記録情報生成デバイスによって生成された、ユーザ課金データ記録情報を受信するステップと、
前記ユーザ課金データ記録情報に従い前記第２のネットワークの識別子を取得するステップであって、前記第１のネットワークと前記第２のネットワークが異なるネットワークである、ステップと、
前記第２のネットワークの前記識別子と、前記第１のネットワークの識別子とに従い、オペレータネットワークコスト情報を生成するステップと
を備えることを特徴とする課金情報処理方法。
【請求項１３】
前記オペレータネットワークコスト情報は、ユーザのホームパブリックランドモバイルネットワークＨＰＬＭＮオペレータに、前記第１のネットワークに対応するオペレータ、および前記モビリティ管理デバイスが属する前記第２のネットワークのオペレータに、それぞれ支払うよう指示するために使用されることを特徴とする請求項１２に記載の方法。
【請求項１４】
前記第２のネットワークの前記識別子は、前記第２のネットワークのＰＬＭＮ識別子、前記第２のネットワークのセル識別子、および前記モビリティ管理デバイスの識別子のうちの少なくとも１つを備えることを特徴とする請求項１２または１３に記載の方法。
【請求項１５】
モビリティ管理デバイスが属する第２のネットワークの識別子に従い、第１のネットワークの課金データ記録情報生成デバイスによって生成されたユーザ課金データ記録情報を受信して、前記ユーザ課金データ記録情報に従い前記第２のネットワークの前記識別子を取得するように構成された取得モジュールであって、前記第１のネットワークと前記第２のネットワークが異なるネットワークである取得モジュールと、
前記取得モジュールによって取得された、前記モビリティ管理デバイスが属する前記第２のネットワークの前記識別子と、前記第１のネットワークの識別子とに従い、オペレータネットワークコスト情報を生成するように構成されたオペレータネットワークコスト情報生成モジュールと
を備えることを特徴とする課金デバイス。
【請求項１６】
前記オペレータネットワークコスト情報は、ユーザのホームパブリックランドモバイルネットワークＨＰＬＭＮオペレータ、前記第１のネットワークに対応するオペレータ、および前記モビリティ管理デバイスが属する前記第２のネットワークのオペレータにそれぞれ支払うよう指示するために使用されることを特徴とする請求項１５に記載の課金デバイス。
【請求項１７】
前記第２のネットワークの前記識別子は、前記第２のネットワークのＰＬＭＮ識別子、前記第２のネットワークのセル識別子、および前記モビリティ管理デバイスの識別子のうちの少なくとも１つを備えることを特徴とする請求項１５または１６に記載の課金デバイス。
【請求項１８】
請求項７乃至１１のいずれか一項に記載の前記課金データ記録情報生成デバイスと、
請求項１５乃至１７のいずれか一項に記載の前記課金デバイスと
を備えることを特徴とする課金情報処理システム。
【請求項１９】
要求メッセージを前記課金データ記録情報生成デバイスに送信するように構成されたモビリティ管理デバイスであって、前記要求メッセージが、前記モビリティ管理デバイスが属する第２のネットワークの識別子を備えるモビリティ管理デバイスをさらに備えることを特徴とする請求項１８に記載の課金情報処理システム。
【発明の詳細な説明】
【技術分野】
【０００１】
本出願は、参照によりその全体が本明細書に組み込まれている、２０１２年９月２９日に中国特許庁に出願された「ＣＨＡＲＧＩＮＧ  ＩＮＦＯＲＭＡＴＩＯＮ  ＰＲＯＣＥＳＳＩＮＧ  ＭＥＴＨＯＤ，ＡＰＰＡＲＡＴＵＳ，ＡＮＤ  ＳＹＳＴＥＭ」と題する中国特許出願第２０１２１０３７９４６５．３の優先権を主張するものである。
【０００２】
本発明は、ワイヤレスネットワーク通信技術に関し、特に、課金情報処理方法、装置、およびシステムに関する。
【背景技術】
【０００３】
無線アクセスネットワークを展開する際のオペレータのコストを削減するために、３ＧＰＰは、ネットワーク共有のアイデア、すなわち、複数のオペレータのパブリックランドモバイルネットワーク（Ｐｕｂｌｉｃ  Ｌａｎｄ  Ｍｏｂｉｌｅ  Ｎｅｔｗｏｒｋ，ＰＬＭＮ）、または１つのオペレータの複数のＰＬＭＮが、同じ無線アクセスネットワークを共有して、無線通信サービスを提供することができることを提供する。たとえば、３ＧＰＰは、回線交換フォールバック（ＣＳ  Ｆａｌｌｂａｃｋ，ＣＳＦＢ）技術、およびＳＭＳ  ｏｖｅｒ  ＳＧｓ技術を提供する。
【０００４】
以下では、説明のための例としてＣＳＦＢ技術を使用する。ロングタームエボリューション（Ｌｏｎｇ  Ｔｅｒｍ  Ｅｖｏｌｕｔｉｏｎ，ＬＴＥ）ネットワーク上で、ユーザ機器（Ｕｓｅｒ  Ｅｑｕｉｐｍｅｎｔ，ＵＥ）によってジョイントアタッチメントまたはトラッキングエリア更新（Ｔｒａｃｋｉｎｇ  Ａｒｅａ  Ｕｐｄａｔｅ，ＴＡＵ）を実行する過程で、モビリティ管理エンティティ（Ｍｏｂｉｌｉｔｙ  Ｍａｎａｇｅｍｅｎｔ  Ｅｎｔｉｔｙ，ＭＭＥ）は、セッション作成要求（Ｃｒｅａｔｅ  Ｓｅｓｓｉｏｎ  Ｒｅｑｕｅｓｔ）内の現在のサービングノードのＰＬＭＮ識別子、もしくはベアラ修正要求（Ｍｏｄｉｆｙ  Ｂｅａｒｅｒ  Ｒｅｑｕｅｓｔ）、または他の要求メッセージだけを、サービングゲートウェイ／パケットデータネットワークゲートウェイ（Ｓｅｒｖｉｃｅ  Ｇａｔｅｗａｙ／Ｐａｃｋｅｔ  Ｄａｔａ  Ｎｅｔ  Ｇａｔｅｗａｙ，ＳＧＷ／ＰＧＷ）に搬送し、現在のサービングネットワークのＰＬＭＮ識別子が、ユーザ機器によって表示されたネットワーク名に対応するＰＬＭＮ識別子と同じである場合、オペレータ間に課金問題は発生しない。
【０００５】
しかし、現在のサービングネットワークのＰＬＭＮ識別子が、ユーザ機器によって表示されたネットワーク名に対応するＰＬＭＮ識別子とは異なる場合、現在の課金データ記録情報生成デバイスによって生成されたユーザ課金データ記録情報は現在のサービングノードのＰＬＭＮ識別子だけしか含まないので、ＭＭＥが属するＰＳネットワークのオペレータ、現在のサービングノードのオペレータ、およびユーザ機器が属するオペレータは、ネットワーク間のコスト決済を実行することができず、具体的には、ユーザ機器にネットワーク共有サービスを提供するＭＭＥが属するＰＳネットワークのオペレータ、およびユーザ機器が属するオペレータは、既存のユーザ課金データ記録情報に応じて、それらの支払われるべき利益を得ることができない。
【０００６】
したがって、無線アクセスネットワークが共有される場合、既存の課金データ記録情報生成デバイスによって生成されたユーザ課金データ記録情報に基づいて、異なるネットワークオペレータ間のネットワーク間コスト決済が行われることはできず、いくつかのオペレータの利益の損失を生じる場合がある。
【発明の概要】
【課題を解決するための手段】
【０００７】
これに鑑みて、本発明の実施形態は、既存の課金データ記録情報生成デバイスによって生成されたユーザ課金データ記録情報に基づいて、異なるネットワークオペレータ間のネットワーク間コスト決済が行われることができないという問題を解決することができる、課金情報処理方法、装置、およびシステムを提供する。
【０００８】
第１の態様によれば、本発明の実施形態は、
第１のネットワークの課金データ記録情報生成デバイスによって、モビリティ管理デバイスが属する第２のネットワークの識別子を受信するステップであって、第１のネットワークと第２のネットワークが異なるネットワークである、ステップと、
課金データ記録情報生成デバイスによって、ユーザ課金データ記録情報を生成するステップであって、ユーザ課金データ記録情報が第２のネットワークの識別子を含む、ステップとを含む、課金情報処理方法を提供する。
【０００９】
第１の態様を参照すると、第１の可能な実装形態方法では、課金データ記録情報生成デバイスによって、モビリティ管理デバイスが属する第２のネットワークの識別子を受信するステップは、
課金データ記録情報生成デバイスによって、モビリティ管理デバイスによって送信された要求メッセージを受信するステップであって、要求メッセージが、モビリティ管理デバイスが属する第２のネットワークの識別子を含む、ステップを含む。
【００１０】
要求メッセージは、ロケーション更新要求メッセージ、サービス要求メッセージ、セッション作成要求メッセージ、およびベアラ修正要求メッセージのうちの少なくとも１つを含む。
【００１１】
第２のネットワークの識別子は、第２のネットワークのＰＬＭＮ識別子、第２のネットワークのセル識別子、およびモビリティ管理デバイスの識別子のうちの少なくとも１つを含む。
【００１２】
課金データ記録情報生成デバイスは、モバイルサービス交換センタサーバＭＳＣサーバ、サービング汎用パケット無線サービスサポートノードＳＧＳＮ、ゲートウェイ汎用パケット無線サービスサポートノードＧＧＳＮ、サービングゲートウェイＳＧＷ、パケットデータネットワークゲートウェイＰＧＷ、およびモビリティ管理エンティティＭＭＥのうちの少なくとも１つを含む。
【００１３】
モビリティ管理デバイスは、モビリティ管理エンティティＭＭＥと、サービング汎用パケット無線サービスサポートノードＳＧＳＮとのうちの少なくとも１つを含む。
【００１４】
第２の態様によれば、本発明の実施形態は、
モビリティ管理デバイスが属する第２のネットワークの識別子を受信するように構成された受信モジュールであって、第１のネットワークと第２のネットワークが異なるネットワークである、受信モジュールと、
受信モジュールによって受信された第２のネットワークの識別子に従い、ユーザ課金データ記録情報を生成するように構成されたユーザ課金データ記録情報生成モジュールであって、ユーザ課金データ記録情報が第２のネットワークの識別子を含む、ユーザ課金データ記録情報生成モジュールとを含む、第１のネットワークに配置された課金データ記録情報生成デバイスを提供する。
【００１５】
第２の態様を参照すると、第１の可能な実装形態方法では、受信モジュールは、モビリティ管理デバイスによって送信された要求メッセージを受信するように特に構成されており、要求メッセージは、モビリティ管理デバイスが属する第２のネットワークの識別子を含む。
【００１６】
要求メッセージは、ロケーション更新要求メッセージ、サービス要求メッセージ、セッション作成要求メッセージ、およびベアラ修正要求のうちの少なくとも１つを含む。
【００１７】
第２のネットワークの識別子は、第２のネットワークのＰＬＭＮ識別子、第２のネットワークのセル識別子、およびモビリティ管理デバイスの識別子のうちの少なくとも１つを含む。
【００１８】
課金データ記録情報生成デバイスは、モバイルサービス交換センタサーバＭＳＣサーバ、サービング汎用パケット無線サービスサポートノードＳＧＳＮ、ゲートウェイ汎用パケット無線サービスサポートノードＧＧＳＮ、サービングゲートウェイＳＧＷ、パケットデータネットワークゲートウェイＰＧＷ、およびモビリティ管理エンティティＭＭＥのうちの少なくとも１つを含む。
【００１９】
第３の態様によれば、本発明の実施形態は、
ユーザ課金データ記録情報に従って、ユーザ課金データ記録情報に含まれる、モビリティ管理デバイスが属する第２のネットワークの識別子を取得するステップであって、ユーザ課金データ記録情報が、モビリティ管理デバイスが属する第２のネットワークの識別子に従い第１のネットワークの課金データ記録情報生成デバイスによって生成され、第１のネットワークと第２のネットワークが異なるネットワークである、ステップと、
第２のネットワークの識別子と第１のネットワークの識別子とに従い、オペレータネットワークコスト情報を生成するステップとを含む、課金情報処理方法を提供する。
【００２０】
オペレータネットワークコスト情報は、ユーザのホームパブリックランドモバイルネットワークＨＰＬＭＮオペレータに、第１のネットワークに対応するオペレータ、およびモビリティ管理デバイスが属する第２のネットワークのオペレータに、それぞれ支払うよう指示するために使用される。
【００２１】
第２のネットワークの識別子は、第２のネットワークのＰＬＭＮ識別子、第２のネットワークのセル識別子、およびモビリティ管理デバイスの識別子のうちの少なくとも１つを含む。
【００２２】
第４の態様によれば、本発明の実施形態は、
ユーザ課金データ記録情報に従って、ユーザ課金データ記録情報に含まれる、モビリティ管理デバイスが属する第２のネットワークの識別子を取得するように構成された取得モジュールであって、ユーザ課金データ記録情報が、モビリティ管理デバイスが属する第２のネットワークの識別子に従い第１のネットワークの課金データ記録情報生成デバイスに従って生成され、第１のネットワークと第２のネットワークが異なるネットワークである、取得モジュールと、
取得モジュールによって取得された、モビリティ管理デバイスが属する第２のネットワークの識別子と、第１のネットワークの識別子とに従い、オペレータネットワークコスト情報を生成するように構成されたオペレータネットワークコスト情報生成モジュールとを含む、課金デバイスを提供する。
【００２３】
オペレータネットワークコスト情報は、ユーザのホームパブリックランドモバイルネットワークＨＰＬＭＮオペレータに、第１のネットワークに対応するオペレータ、およびモビリティ管理デバイスが属する第２のネットワークのオペレータに、それぞれ支払うよう指示するために使用される。
【００２４】
第２のネットワークの識別子は、第２のネットワークのＰＬＭＮ識別子、第２のネットワークのセル識別子、およびモビリティ管理デバイスの識別子のうちの少なくとも１つを含む。
【００２５】
第５の態様によれば、本発明の実施形態は、課金データ記録情報生成デバイスと課金デバイスとを含む、課金情報処理システムを提供する。
【００２６】
本発明の実施形態では、第１のネットワークの課金データ記録情報生成デバイスは、モビリティ管理デバイスが属する第２のネットワークの識別子をユーザ課金データ記録情報に追加して、ユーザ課金データ記録情報を課金デバイスに送信して、課金デバイスが、モビリティ管理デバイスが属する第２のネットワークの識別子を含むユーザ課金データ記録情報に従い、モビリティ管理デバイスが属する第２のネットワークと、現在サービスしている第１のネットワークとの間のネットワーク間コスト決済を実行できるようにする。これは、無線アクセスネットワークが共有される場合、既存の課金データ記録情報生成デバイスによって生成されたユーザ課金データ記録情報に基づいて、異なるネットワークオペレータ間のネットワーク間コスト決済が行われることはできず、モビリティ管理デバイスが属する第２のネットワークの識別子を含まず、いくつかのオペレータの利益の損失が生じる場合があるという問題を解決する。
【図面の簡単な説明】
【００２７】
本発明の実施形態または従来技術における技術的ソリューションをより明確に説明するために、実施形態または従来技術を説明するために必要な添付の図面を以下簡単に紹介する。明らかに、以下の説明における添付の図面は、本発明のいくつかの実施形態を単に示すにすぎず、当業者は依然として、創造的努力なしに、これらの添付の図面から他の図面を得ることができる。
【図１】本発明の実施形態による、課金情報処理方法の概略的流れ図である。
【図２】本発明の別の実施形態による、課金データ記録情報生成デバイスの概略的構造図である。
【図３】本発明の別の実施形態による、課金情報処理方法の概略的流れ図である。
【図４】本発明の別の実施形態による、課金デバイスの概略的構造図である。
【図５】本発明の別の実施形態による、課金情報処理システムの概略的流れ図である。
【発明を実施するための形態】
【００２８】
本発明の実施形態の目的、技術的解決、および利点をよりわかりやすくするために、以下、本発明の実施形態における技術的解決を、本発明の実施形態における添付の図面を参照して明確かつ完全に説明する。明らかに、説明する実施形態は、本発明の実施形態のすべてではなく、その一部にすぎない。本発明の実施形態に基づいて、当業者によって創造的努力なしに取得される他のすべての実施形態は、本発明の保護範囲内である。
【００２９】
本発明の技術的解決は、様々なワイヤレス通信システムに適用することができる。以下の実施形態のそれぞれにおいて言及される第１のネットワークおよび第２のネットワークは、たとえば、グローバルシステムフォーモバイルコミュニケーション（Ｇｌｏｂａｌ  Ｓｙｓｔｅｍ  ｆｏｒ  Ｍｏｂｉｌｅ  Ｃｏｍｍｕｎｉｃａｔｉｏｎｓ，略してＧＳＭ（登録商標））、汎用パケット無線サービス（Ｇｅｎｅｒａｌ  Ｐａｃｋｅｔ  Ｒａｄｉｏ  Ｓｅｒｖｉｃｅ，略してＧＰＲＳ）システム、符号分割多元接続（Ｃｏｄｅ  Ｄｉｖｉｓｉｏｎ  Ｍｕｌｔｉｐｌｅ  Ａｃｃｅｓｓ，略してＣＤＭＡ）システム、ＣＤＭＡ  ２０００システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ，略してＷＣＤＭＡ（登録商標））システム、ロングタームエボリューション（Ｌｏｎｇ  Ｔｅｒｍ  Ｅｖｏｌｕｔｉｏｎ，略してＬＴＥ）システム、またはワールドインターオペラビリティフォーマイクロウェーブアクセス（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ，略してＷｉＭＡＸ）システムなどを含む。
【００３０】
本発明の技術的解決では、課金データ記録情報生成デバイスは、これに限定されないが、モバイル交換センタ／ビジタロケーションレジスタ（Ｍｏｂｉｌｅ  Ｓｗｉｔｃｈｉｎｇ  Ｃｅｎｔｅｒ／Ｖｉｓｉｔｏｒ  Ｌｏｃａｔｉｏｎ  Ｒｅｇｉｓｔｅｒ，ＭＳＣ／ＶＬＲ）、サービングゲートウェイ／パケットデータネットワークゲートウェイ（Ｓｅｒｖｉｃｅ  Ｇａｔｅｗａｙ／Ｐａｃｋｅｔ  Ｄａｔａ  Ｎｅｔ  Ｇａｔｅｗａｙ，ＳＧＷ／ＰＧＷ）、サービングＧＰＲＳサポートノード（Ｓｅｒｖｉｎｇ  ＧＰＲＳ  Ｓｕｐｐｏｒｔ  Ｎｏｄｅ，ＳＧＳＮ）、ゲートウェイ汎用パケット無線サービスサポートノード（Ｇａｔｅｗａｙ  ＧＰＲＳ  Ｓｕｐｐｏｒｔ  Ｎｏｄｅ，ＧＧＳＮ）を含むことができ、ＭＳＣ／ＶＬＲは、単一無線音声呼継続性（Ｓｉｎｇｌｅ  Ｒａｄｉｏ  Ｖｏｉｃｅ  Ｃａｌｌ  Ｃｏｎｔｉｎｕｉｔｙ，ＳＲＶＣＣ）ＭＳＣ／ＶＬＲでもよく、ＣＳＦＢ  ＭＳＣ／ＶＬＲでもよい。
【００３１】
図１は、本発明の実施形態による、課金情報処理方法の概略的流れ図である。図１に示されるように、この実施形態の課金方法は、以下を含み得る。
【００３２】
１０１．第１のネットワークの課金データ記録情報生成デバイスが、モビリティ管理デバイスが属する第２のネットワークの識別子を受信して、第１のネットワークと第２のネットワークは異なるネットワークである。
【００３３】
第１のネットワークの識別子は、これに限定されないが、第１のネットワークのパブリックランドモバイルネットワークＰＬＭＮ識別子を含み、第２のネットワークの識別子は、これに限定されないが、第２のネットワークのＰＬＭＮ識別子を含む。
【００３４】
たとえば、モビリティ管理デバイスが属する第２のネットワークの識別子は、モビリティ管理デバイスが配置されているＬＴＥネットワークのＥ−ＵＴＲＡＮセルグローバル識別子（Ｅ−ＵＴＲＡＮ  Ｃｅｌｌ  Ｇｌｏｂａｌ  Ｉｄｅｎｔｉｆｉｃａｔｉｏｎ，ＥＣＧＩ）、モビリティ管理デバイスが配置されているＬＴＥネットワークのＰＬＭＮ識別子、モビリティ管理デバイスの識別子、およびモビリティ管理デバイスが配置されている２Ｇ／３ＧネットワークのＰＬＭＮ識別子のうちの少なくとも１つを含む。
【００３５】
本発明の実装形態方法では、課金データ記録情報生成デバイスは、ユーザ機器によって表示されたネットワーク名に対応するＰＬＭＮ識別子をさらに受信することができる。たとえば、ユーザ機器が正常にオペレータのネットワークに登録された後、ユーザ機器は、登録されたネットワーク名をユーザに表示するべきであり、ユーザ機器によって表示されたネットワーク名は、モビリティ管理デバイス（たとえば、ＭＭＥ）によって送信されたネットワーク名に従い、またはユーザ機器の構成に従い表示され得る。
【００３６】
たとえば、ＭＭＥは、ＬＴＥ  ＰＬＭＮ識別子またはＣＳ  ＰＬＭＮ識別子に従い、モビリティ管理情報内の対応するネットワーク名を搬送して、モビリティ管理情報をユーザ機器に送信して、ユーザ機器が、受信されたネットワーク名に従い、ネットワーク名をユーザに表示する。ユーザ機器によって表示されたネットワーク名に対応するＰＬＭＮ識別子は、ＭＭＥが属するＰＳネットワークのＰＬＭＮ識別子（すなわち、ＬＴＥ  ＰＬＭＮ  ＩＤ）であり、または、ユーザ機器によって表示されたネットワーク名に対応するＰＬＭＮ識別子は、モバイルサービス交換センタ（Ｍｏｂｉｌｅ−ｓｅｒｖｉｃｅｓ  Ｓｗｉｔｃｈｉｎｇ  Ｃｅｎｔｒｅ，ＭＳＣ）またはビジタロケーションレジスタ（Ｖｉｓｉｔｏｒｓ  Ｌｏｃａｔｉｏｎ  Ｒｅｇｉｓｔｅｒ，ＶＬＲ）を通じてＭＭＥが登録されたＣＳネットワークのＰＬＭＮ識別子（すなわち、ＣＳ  ＰＬＭＮ  ＩＤ）である。
【００３７】
ＭＭＥは、ユーザ機器に送信されたモビリティ管理情報で搬送されたネットワーク名に対応するＰＬＭＮ識別子に従い、ＰＬＭＮ識別子を、ユーザ機器によって表示されたネットワーク名に対応するＰＬＭＮ識別子として決定することができる。あるいは、ＭＭＥは、モビリティ管理情報をユーザ機器に送信せず、ユーザ機器が、ユーザ機器の構成に従いネットワーク名を表示する。この場合、ＭＭＥはまた、ユーザ機器によって構成されたネットワーク名に従い、ネットワーク名に対応するＰＬＭＮ識別子を、ユーザ機器によって表示されたネットワーク名に対応するＰＬＭＮ識別子として決定する。
【００３８】
この実施形態のオプションの実装形態方法では、課金データ記録情報生成デバイスは、モビリティ管理デバイスによって送信された要求メッセージを受信して、要求メッセージは、モビリティ管理デバイスが属する第２のネットワークの識別子を含む。
【００３９】
モビリティ管理デバイスによって送信されて、課金データ記録情報生成デバイスによって受信された要求メッセージは、ユーザ機器によって表示されたネットワーク名、およびユーザ機器によって表示されたネットワーク名に対応するＰＬＭＮ識別子をさらに搬送し得る点に留意されたい。
【００４０】
要求メッセージは、これに限定されないが、ロケーション更新要求メッセージ、サービス要求メッセージ、セッション作成要求メッセージ、またはベアラ修正要求を含む点に留意されたい。
【００４１】
たとえば、ユーザ機器が、ＣＳＦＢにおいてジョイントアタッチメント／ジョイントロケーション更新を実行すると、ＭＭＥは、ＭＳＣ／ＶＬＲに送信されるロケーション更新要求メッセージＬｏｃａｔｉｏｎ  Ｕｐｄａｔｅ  Ｒｅｑｕｅｓｔ内で、ユーザ機器によって表示されたネットワーク名に対応するＰＬＭＮ識別子、および／またはＭＭＥが属するネットワークの識別子を搬送することができ、ＭＭＥが属するネットワークの識別子は、たとえば、ＭＭＥが配置されているＬＴＥネットワークのＥＣＧＩ、および／またはＭＭＥが配置されているＬＴＥネットワークのＰＬＭＮ識別子、および／またはＭＭＥ識別子を含み、ロケーション更新要求メッセージは、ユーザ機器によって表示されたネットワーク名をさらに搬送し得る。
【００４２】
別の例では、ユーザ機器がＣＳＦＢ音声被呼処理を実行すると、ＭＭＥは、ＭＳＣ  ＶＬＲに送信されるサービス要求メッセージＳｅｒｖｉｃｅ  Ｒｅｑｕｅｓｔ内で、ユーザ機器によって表示されたネットワーク名に対応するＰＬＭＮ識別子、および／またはＭＭＥが属するネットワークの識別子を搬送することができ、ＭＭＥが属するネットワークの識別子は、たとえば、ＭＭＥが配置されているＬＴＥネットワークのＥＣＧＩ、および／またはＭＭＥが配置されているＬＴＥネットワークのＰＬＭＮ識別子、および／またはＭＭＥ識別子を含み、サービス要求メッセージＳｅｒｖｉｃｅ  Ｒｅｑｕｅｓｔは、ユーザ機器によって表示されたネットワーク名をさらに搬送し得る。
【００４３】
別の例では、ユーザ機器がＣＳＦＢ音声発呼処理を実行すると、ＭＭＥは、ＭＳＣ  ＶＬＲに送信されるサービス要求メッセージＳｅｒｖｉｃｅ  Ｒｅｑｕｅｓｔまたは別の要求メッセージ内で、ユーザ機器によって表示されたネットワーク名に対応するＰＬＭＮ識別子、および／またはＭＭＥが属するネットワークの識別子を搬送することができ、ＭＭＥが属するネットワークの識別子は、たとえば、ＭＭＥが配置されているＬＴＥネットワークのＥＣＧＩ、および／またはＭＭＥが配置されているＬＴＥネットワークのＰＬＭＮ識別子、および／またはＭＭＥ識別子を含み、サービス要求メッセージＳｅｒｖｉｃｅ  Ｒｅｑｕｅｓｔまたは別の要求メッセージは、ユーザ機器によって表示されたネットワーク名をさらに搬送し得る。
【００４４】
別の例では、ユーザ機器が、ＣＳＦＢショートメッセージ発信および終了処理を実行すると、ＭＭＥは、ＭＳＣ  ＶＬＲに送信されるアップリンクユニットデータＵｐｌｉｎｋ  Ｕｎｉｔデータまたはサービス要求メッセージＳｅｒｖｉｃｅ  Ｒｅｑｕｅｓｔ内で、ユーザ機器によって表示されたネットワーク名に対応するＰＬＭＮ識別子、および／またはＭＭＥが属するネットワークの識別子を搬送することができ、ＭＭＥが属するネットワークの識別子は、たとえば、ＭＭＥが配置されているＬＴＥネットワークのＥＣＧＩ、および／またはＭＭＥが配置されているＬＴＥネットワークのＰＬＭＮ識別子、および／またはＭＭＥ識別子を含み、アップリンクユニットデータＵｐｌｉｎｋ  Ｕｎｉｔデータまたはサービス要求メッセージＳｅｒｖｉｃｅ  Ｒｅｑｕｅｓｔは、ユーザ機器によって表示されたネットワーク名をさらに搬送し得る。
【００４５】
別の例では、ＵＥユーザ機器が、ＬＴＥネットワーク上でジョイントアタッチメントまたはジョイントロケーション更新処理を実行すると、ＭＭＥは、ＳＧＷに送信されるセッション作成要求メッセージＣｒｅａｔｅ  Ｓｅｓｓｉｏｎ  Ｒｅｑｕｅｓｔ、またはベアラ修正要求Ｍｏｄｉｆｙ  Ｂｅａｒｅｒ  Ｒｅｑｕｅｓｔ、または別の要求メッセージ内で、ユーザ機器によって表示されたネットワーク名に対応するＰＬＭＮ識別子、および／またはＭＭＥが属するネットワークの識別子を搬送することができ、ＭＭＥが属するネットワークの識別子は、たとえば、ＭＭＥが配置されているＬＴＥネットワークのＥＣＧＩ、および／またはＭＭＥが配置されているＬＴＥネットワークのＰＬＭＮ識別子、および／またはＭＭＥ識別子を含み、セッション作成要求メッセージＣｒｅａｔｅ  Ｓｅｓｓｉｏｎ  Ｒｅｑｕｅｓｔ、またはベアラ修正要求Ｍｏｄｉｆｙ  Ｂｅａｒｅｒ  Ｒｅｑｕｅｓｔ、または別の要求メッセージは、ユーザ機器によって表示されたネットワーク名をさらに搬送し得る。
【００４６】
ＳＧＷは、ＰＧＷに、セッション作成要求メッセージＣｒｅａｔｅ  Ｓｅｓｓｉｏｎ  Ｒｅｑｕｅｓｔ、またはベアラ修正要求Ｍｏｄｉｆｙ  Ｂｅａｒｅｒ  Ｒｅｑｕｅｓｔユーザ機器、またはユーザ機器によって表示されたネットワーク名に対応するＰＬＭＮ識別子、およびＭＭＥが属するネットワークのＰＬＭＮ識別子を搬送する別の要求メッセージを送信する。
【００４７】
別の例では、ユーザ機器がＬＴＥネットワーク上にＶｏＩＰボイスサービスを実装すると、ユーザ機器がボイスサービスから別のＰＳドメイン、たとえば、高速アップリンクパケットアクセス技術（Ｈｉｇｈ  Ｓｐｅｅｄ  Ｕｐｌｉｎｋ  Ｐａｃｋｅｔ  Ａｃｃｅｓｓ，ＨＳＵＰＡ）にハンドオーバする場合、ＭＭＥが、ＳＧＳＮに送信されるハンドオーバメッセージ内で、ユーザ機器によって表示されたネットワーク名に対応するＰＬＭＮ識別子、およびＭＭＥが属するネットワークの識別子を搬送し、ＳＧＳＮが、ＳＧＷ／ＰＧＷまたはＧＧＳＮに送信されるセッション作成要求メッセージＣｒｅａｔｅ  Ｓｅｓｓｉｏｎ  Ｒｅｑｕｅｓｔ、またはベアラ修正要求メッセージＭｏｄｉｆｙ  Ｂｅａｒｅｒ  Ｒｅｑｕｅｓｔ、または別の要求メッセージ内で、ユーザ機器によって表示されたネットワーク名に対応するＰＬＭＮ識別子、および／またはＭＭＥが属するネットワークの識別子を搬送し、ＭＭＥが属するネットワークの識別子は、たとえば、ＭＭＥが配置されているＬＴＥネットワークのＥＣＧＩ、またはＭＭＥが配置されているＬＴＥネットワークのＰＬＭＮ識別子、および／またはＭＭＥ識別子を含み、セッション作成要求メッセージＣｒｅａｔｅ  Ｓｅｓｓｉｏｎ  Ｒｅｑｕｅｓｔ、またはベアラ修正要求Ｍｏｄｉｆｙ  Ｂｅａｒｅｒ  Ｒｅｑｕｅｓｔ、または別の要求メッセージは、ユーザ機器によって表示されたネットワーク名をさらに搬送し得る。
【００４８】
別の例では、ユーザ機器が、３Ｇネットワーク（たとえば、ＨＳＵＰＡネットワーク）上にＶｏＩＰボイスサービスを実装すると、ユーザ機器は、ＬＴＥにハンドオーバするために、ＬＴＥパケット交換（Ｐａｃｋｅｔ  Ｓｗｉｔｃｈｅｄ，ＰＳ）ハンドオーバ（Ｈａｎｄｏｖｅｒ，ＨＯ）を実行する。ハンドオーバの間、ＭＭＥがＶｏＩＰサービスを識別して、ＳＧＷに送信されるセッション作成要求メッセージＣｒｅａｔｅ  Ｓｅｓｓｉｏｎ  Ｒｅｑｕｅｓｔ、またはベアラ修正要求Ｍｏｄｉｆｙ  Ｂｅａｒｅｒ  Ｒｅｑｕｅｓｔ、または別の要求メッセージ内で、ユーザ機器によって表示されたネットワーク名に対応するＰＬＭＮ識別子、およびＭＭＥが属するネットワークの識別子を搬送する。ユーザ機器によって表示されたネットワーク名に対応するＰＬＭＮ識別子は、３Ｇネットワークに対応するＰＬＭＮ  ＩＤであり、ＳＧＷが、セッション作成要求メッセージＣｒｅａｔｅ  Ｓｅｓｓｉｏｎ  Ｒｅｑｕｅｓｔ、またはベアラ修正要求Ｍｏｄｉｆｙ  Ｂｅａｒｅｒ  Ｒｅｑｕｅｓｔ、または別の要求メッセージをＰＧＷに送信し、セッション作成要求またはベアラ修正要求が、ユーザ機器によって表示されたネットワーク名に対応するＰＬＭＮ識別子、および／またはＭＭＥが属するネットワークの識別子を搬送し、ＭＭＥが属するネットワークの識別子は、たとえば、ＭＭＥが配置されているＬＴＥネットワークのＥＣＧＩ、および／またはＭＭＥが配置されているＬＴＥネットワークのＰＬＭＮ識別子、またはＭＭＥ識別子を含み、セッション作成要求Ｃｒｅａｔｅ  Ｓｅｓｓｉｏｎ  Ｒｅｑｕｅｓｔ、またはベアラ修正要求Ｍｏｄｉｆｙ  Ｂｅａｒｅｒ  Ｒｅｑｕｅｓｔ、または別の要求メッセージは、ユーザ機器によって表示されたネットワーク名をさらに搬送し得る。
【００４９】
別の例では、ユーザ機器がＬＴＥネットワーク上にＶｏＩＰボイスサービスを実装すると、ユーザ機器は、単一無線音声呼継続性（Ｓｉｎｇｌｅ  Ｒａｄｉｏ  Ｖｏｉｃｅ  Ｃａｌｌ  Ｃｏｎｔｉｎｕｉｔｙ，ＳＲＶＣＣ）を実行して、２／３Ｇ  ＣＳドメインにハンドオーバする。ＳＧＳＮ／ＭＭＥは、ＭＳＣ  ＶＬＲに送信されるＰＳからＣＳへのハンドオーバメッセージ内で、ユーザ機器によって表示されたネットワーク名に対応するＰＬＭＮ識別子、および／またはＭＭＥが属するネットワークの識別子を搬送することができ、ＭＭＥが属するネットワークの識別子は、たとえば、ＭＭＥが配置されているＬＴＥのＥＣＧＩ、および／またはＭＭＥが配置されているＬＴＥネットワークのＰＬＭＮ識別子、および／またはＭＭＥ識別子を含み、ＰＳからＣＳへのハンドオーバメッセージは、ユーザ機器によって表示されたネットワーク名をさらに搬送し得る。
【００５０】
別の例では、ユーザ機器が、２／３Ｇネットワーク上にＣＳボイスサービスを実装すると、ユーザ機器は、現在のユーザ機器によって表示されたネットワーク名に従って、ユーザ機器が現在常駐する、またはユーザ機器にサービスするネットワークを決定する。ユーザ機器が、ボイスサービスコンタクトを実行する過程で、逆方向単一無線音声呼継続性（Ｒｅｖｅｒｓｅ  Ｓｉｎｇｌｅ  Ｒａｄｉｏ  Ｖｏｉｃｅ  Ｃａｌｌ  Ｃｏｎｔｉｎｕｉｔｙ，ＳＲＶＣＣ）を実装する必要がある場合、ユーザ機器は、ＬＴＥまたは３Ｇ（ＨＳＰＡ）ネットワークにハンドオーバする。ＭＳＣ  ＶＬＲは、ＳＧＳＮ／ＭＭＥに送信されるＣＳからＰＳへのハンドオーバメッセージ内で、ユーザ機器によって表示されたネットワーク名に対応するＰＬＭＮ識別子、および／またはＭＭＥが属するネットワークの識別子を搬送し、ＭＭＥが属するネットワークの識別子は、たとえば、ＭＭＥが配置されているＬＴＥのＥＣＧＩ、および／またはＭＭＥが配置されているＬＴＥネットワークのＰＬＭＮ識別子、および／またはＭＭＥ識別子を含み、ＣＳからＰＳへのハンドオーバメッセージは、ユーザ機器によって表示されたネットワーク名をさらに搬送し得る。
【００５１】
別の例では、ユーザ機器が、２／３Ｇネットワーク上にＣＳボイスサービスを実装すると、ユーザ機器は、現在のユーザ機器によって表示されたネットワーク名に従って、ユーザ機器が現在常駐する、またはユーザ機器にサービスするネットワークを決定する。この場合、ユーザ機器によって表示されたネットワーク名は、２Ｇ／３Ｇネットワークのネットワーク名でよい。ユーザ機器が、ボイスサービスコンタクトを実行する過程で、回路交換ハンドオーバ（ＣＳ  Ｈａｎｄｏｖｅｒ）を実装する必要がある場合、ユーザ機器は、別の２Ｇ／３Ｇネットワークにハンドオーバする。ＭＳＣ  ＶＬＲは、ＭＳＣ  ＶＬＲに送信されるＣＳからＣＳへのハンドオーバメッセージ内で、ユーザ機器によって表示されたネットワーク名に対応するＰＬＭＮ識別子、および／またはＭＭＥが属するネットワークの識別子を搬送し、ＭＭＥが属するネットワークの識別子は、たとえば、ＭＭＥが配置されているＬＴＥのＥＣＧＩ、および／またはＭＭＥが配置されているＬＴＥネットワークのＰＬＭＮ識別子、および／またはＭＭＥ識別子を含み、ＣＳからＣＳへのハンドオーバメッセージは、ユーザ機器によって表示されたネットワーク名をさらに搬送し得る。
【００５２】
課金データ記録情報生成デバイスに送信された要求メッセージ内で、モビリティ管理デバイスによって、ユーザ機器によって表示されたネットワーク名に対応するＰＬＭＮ識別子、および／またはＭＭＥが属するネットワークの識別子を搬送する特定の実装形態は、以下の通りでよい点に留意されたい。新しい情報ユニットを要求メッセージに追加して、新しい情報ユニットは、ユーザ機器によって表示されたネットワーク名に対応するＰＬＭＮ識別子、および／またはＭＭＥが属するネットワークの識別子を格納するように特に構成され、既存の要求メッセージ内のサービングノードのＰＬＭＮ識別子を、ユーザ機器によって表示されたネットワーク名に対応するＰＬＭＮ識別子、およびＭＭＥが属するネットワークのＰＬＭＮ識別子として修正する。
【００５３】
モビリティ管理デバイスは、課金データ記録情報生成デバイスにＰＬＭＮ識別子情報を個別に送信することができ、ＰＬＭＮ識別子情報は、ユーザ機器によって表示されたネットワーク名に対応するＰＬＭＮ識別子、および／またはＭＭＥが属するネットワークの識別子を含む点に留意されたい。ＭＭＥが属するネットワークの識別子は、たとえば、ＭＭＥが配置されているＬＴＥネットワークのＥＣＧＩ、および／またはＭＭＥが配置されているＬＴＥネットワークのＰＬＭＮ識別子、および／またはＭＭＥ識別子を含み、ＰＬＭＮ識別子情報は、ユーザ機器によって表示されたネットワーク名をさらに搬送し得る。
【００５４】
この実施形態のオプションの実装形態方法では、課金データ記録情報生成デバイスは、モビリティ管理デバイスが属する第２のネットワークの識別子を取得するための要求メッセージをモビリティ管理デバイスに送信して、モビリティ管理デバイスが属する第２のネットワークの識別子を含み、モビリティ管理デバイスによって返される、応答メッセージを受信することができる。
【００５５】
１０２．課金データ記録情報生成デバイスが、ユーザ課金データ記録情報を生成して、ユーザ課金データ記録情報は第２のネットワークの識別子を含む。
【００５６】
実際の適用では、ユーザ課金データ記録情報は、サービスタイプ、たとえば、ユーザ課金データ記録がＣＳＦＢによってトリガされることを表示するために使用されるＣＳＦＢ（ＣＳ  Ｆａｌｌｂａｃｋ，回線交換フォールバック）表示をさらに含み得る点に留意されたい。さらに、ユーザ課金データ記録情報は、セルをグローバルに識別するために使用される、Ｅ−ＵＴＲＡＮセルグローバル識別子（Ｅ−ＵＴＲＡＮ  Ｃｅｌｌ  Ｇｌｏｂａｌ  Ｉｄｅｎｔｉｆｉｃａｔｉｏｎ，ＥＣＧＩ）をさらに含み得る。たとえば、課金システムは、ＥＣＧＩ情報に従い、ロケーション課金を実行することができる。
【００５７】
実際の適用では、一般的に、課金データ記録情報生成デバイスによって生成されたユーザ課金データ記録情報は、現在サービスしている第１のネットワークの識別子をさらに含む。
【００５８】
実際の適用では、課金データ記録情報生成デバイスは、ユーザ課金データ記録情報を課金デバイスに送信して、課金デバイスが、モビリティ管理デバイスが属する第２のネットワークの識別子に従い、モビリティ管理デバイスが属する第２のネットワークと、現在サービスしている第１のネットワークとの間のネットワーク間コスト決済を実行できるようにすることができる。特定の実装形態の間、たとえば、ユーザのホームＰＬＭＮ（Ｈｏｍｅ  ＰＬＭＮ，ＨＰＬＭＮ）は、現在サービスしている第１のネットワークに対応するオペレータ（たとえば、ＰＧＷ／ＧＧＳＮ  ＰＬＭＮに対応するオペレータ）、およびモビリティ管理デバイスが属する第２のネットワークのオペレータ（たとえば、ＭＭＥが配置されているＬＴＥネットワークのＰＬＭＮ識別子に対応するネットワークのオペレータ）にそれぞれ支払うことができる。
【００５９】
さらに、ＭＳＣは、ユーザ機器が配置されているＭＭＥおよびＣＳセルによって報告されたＥＣＧＩに従い統計を収集する、たとえば、ＥＣＧＩセルに常駐しているどのユーザ機器が、これらのＣＳセル内にフォールバックするかの統計を収集することができる。
【００６０】
上記の課金データ記録情報生成デバイスは、これに限定されないが、モバイル交換センタ／ビジタロケーションレジスタ（Ｍｏｂｉｌｅ  Ｓｗｉｔｃｈｉｎｇ  Ｃｅｎｔｅｒ／Ｖｉｓｉｔｏｒ  Ｌｏｃａｔｉｏｎ  Ｒｅｇｉｓｔｅｒ，ＭＳＣ／ＶＬＲ）、サービングゲートウェイ／パケットデータネットワークゲートウェイ（Ｓｅｒｖｉｃｅ  Ｇａｔｅｗａｙ／Ｐａｃｋｅｔ  Ｄａｔａ  Ｎｅｔ  Ｇａｔｅｗａｙ，ＳＧＷ／ＰＧＷ）、サービングＧＰＲＳサポートノード（Ｓｅｒｖｉｎｇ  ＧＰＲＳ  Ｓｕｐｐｏｒｔ  Ｎｏｄｅ，ＳＧＳＮ）、ゲートウェイ汎用パケット無線サービスサポートノード（Ｇａｔｅｗａｙ  ＧＰＲＳ  Ｓｕｐｐｏｒｔ  Ｎｏｄｅ，ＧＧＳＮ）を含むことができ、ＭＳＣ／ＶＬＲは、単一無線音声呼継続性（Ｓｉｎｇｌｅ  Ｒａｄｉｏ  Ｖｏｉｃｅ  Ｃａｌｌ  Ｃｏｎｔｉｎｕｉｔｙ，ＳＲＶＣＣ）ＭＳＣ／ＶＬＲでもよく、ＣＳＦＢ  ＭＳＣ／ＶＬＲを含み得る点に留意されたい。
【００６１】
ＣＳＦＢサービスの実装形態の間、ＭＭＥはユーザ課金データ記録情報も生成することができ、ユーザ課金データ記録情報は、ＭＭＥが属するネットワークの識別子を含み、ＭＭＥがユーザ課金データ記録情報を課金デバイスに送信し、課金デバイスが、ＭＭＥが属するネットワークの識別子に従い、ＭＭＥが属するネットワークに対応するオペレータと、現在サービスしているネットワークに対応するオペレータとの間のネットワーク間コスト決済を実行する点に留意されたい。
【００６２】
実際の適用では、ＭＭＥが属するネットワークの識別子に加えて、ユーザ課金データ記録情報は、ＭＭＥが配置されているＬＴＥネットワークのＣＳＦＢタイプおよび／またはＥＣＧＩ、および／またはＭＭＥが配置されているＬＴＥネットワークのＰＬＭＮ識別子、および／またはＭＭＥ識別子、および／またはユーザ機器によって表示された第３のネットワーク名をさらに含み得る点に留意されたい。
【００６３】
たとえば、ＭＭＥは、ＣＳＦＢイベント課金データ記録を出力することができる。この場合、ＭＭＥは、要求メッセージ内で、ユーザ機器によって表示された第３のネットワーク名に対応するＰＬＭＮ識別子を搬送して、要求メッセージをＭＳＣ  ＶＬＲに送信してもよく、要求メッセージ内で、ユーザ機器によって表示された第３のネットワーク名に対応するＰＬＭＮ識別子を搬送せず、要求メッセージをＭＳＣ  ＶＬＲに送信しなくてもよい。上述のＣＳＦＢサービスは、ＣＳＦＢボイスサービス、ＣＳＦＢロケーション制御サービス（Ｌｏｃａｔｉｏｎ  Ｃｏｎｔｒｏｌ  Ｓｅｒｖｉｃｅ，ＬＣＳ）サービス、ＣＳＦＢコールインディペンデント補足サービス（Ｃａｌｌ  Ｉｎｄｅｐｅｎｄｅｎｔ  Ｓｕｐｐｌｅｍｅｎｔａｒｙ  Ｓｅｒｖｉｃｅ，ＣＩＳＳ）サービス、およびＣＳＦＢショートメッセージングサービスを含む。特に、この実施形態におけるＣＳＦＢは、ＬＴＥ−＞２／３Ｇ  ＣＳＦＢと、ＬＴＥ−＞１ｘＲＴＴ（１ｘシングルキャリア無線伝送技術（Ｓｉｎｇｌｅ−ｃａｒｒｉｅｒ  Ｒａｄｉｏ  Ｔｒａｎｓｍｉｓｓｉｏｎ  Ｔｅｃｈｎｏｌｏｇｙ））ＣＳＦＢとを含む。
【００６４】
上述のモビリティ管理デバイスは、ＭＭＥとＳＧＳＮのうちの少なくとも１つを含む点に留意されたい。
【００６５】
本発明の実施形態では、課金データ記録情報生成デバイスは、モビリティ管理デバイスが属する第２のネットワークの識別子をユーザ課金データ記録情報に追加して、ユーザ課金データ記録情報を課金デバイスに送信して、課金デバイスが、モビリティ管理デバイスが属する第２のネットワークの識別子を含むユーザ課金データ記録情報に従い、モビリティ管理デバイスが属する第２のネットワークと、現在サービスしている第１のネットワークとの間のネットワーク間コスト決済を実行できるようにする。これは、無線アクセスネットワークが共有される場合、既存の課金データ記録情報生成デバイスによって生成されたユーザ課金データ記録情報に基づいて、異なるネットワークオペレータ間のネットワーク間コスト決済が行われることはできず、モビリティ管理デバイスが属する第２のネットワークの識別子を含まず、いくつかのオペレータの利益の損失が生じる場合があるという問題を解決する。
【００６６】
図２は、本発明の別の実施形態による、課金データ記録情報生成デバイスの概略的構造図である。図２に示されるように、課金データ記録情報生成デバイスは、
モビリティ管理デバイスが属する第２のネットワークの識別子を受信するように構成された受信モジュール２１と、
受信モジュールによって受信された、モビリティ管理デバイスが属する第２のネットワークの識別子に従い、ユーザ課金データ記録情報を生成するように構成されたユーザ課金データ記録情報生成モジュール２２であって、ユーザ課金データ記録情報が、モビリティ管理デバイスが属する第２のネットワークの識別子を含む、ユーザ課金データ記録情報生成モジュール２２とを含む。
【００６７】
第１のネットワークと第２のネットワークは、異なるネットワークである。第１のネットワークの識別子は、これに限定されないが、第１のネットワークのパブリックランドモバイルネットワークＰＬＭＮ識別子を含み、第２のネットワークの識別子は、これに限定されないが、第２のネットワークのＰＬＭＮ識別子を含む。
【００６８】
本発明の実装形態方法では、受信モジュール２１は、モビリティ管理デバイスによって送信された要求メッセージを受信するように特に構成されており、要求メッセージは、モビリティ管理デバイスが属する第２のネットワークの識別子を含む。
【００６９】
上述の要求メッセージは、ロケーション更新要求メッセージ、サービス要求メッセージ、セッション作成要求メッセージ、およびベアラ修正要求のうちの少なくとも１つを含む点に留意されたい。
【００７０】
上述の課金データ記録情報生成デバイスは、モバイルサービス交換センタサーバＭＳＣサーバ、サービング汎用パケット無線サービスサポートノードＳＧＳＮ、ゲートウェイ汎用パケット無線サービスサポートノードＧＧＳＮ、サービングゲートウェイＳＧＷ、パケットデータネットワークゲートウェイＰＧＷ、およびモビリティ管理エンティティＭＭＥのうちの少なくとも１つを含む点に留意されたい。
【００７１】
本発明の実施形態では、課金データ記録情報生成デバイスは、モビリティ管理デバイスが属する第２のネットワークの識別子をユーザ課金データ記録情報に追加して、ユーザ課金データ記録情報を課金デバイスに送信して、課金デバイスが、モビリティ管理デバイスが属する第２のネットワークの識別子を含むユーザ課金データ記録情報に従い、モビリティ管理デバイスが属する第２のネットワークと、現在サービスしている第１のネットワークとの間のネットワーク間コスト決済を実行できるようにする。これは、無線アクセスネットワークが共有される場合、既存の課金データ記録情報生成デバイスによって生成されたユーザ課金データ記録情報に基づいて、異なるネットワークオペレータ間のネットワーク間コスト決済が行われることはできず、モビリティ管理デバイスが属する第２のネットワークの識別子を含まず、いくつかのオペレータの利益の損失が生じる場合があるという問題を解決する。
【００７２】
図３は、本発明の別の実施形態による、課金情報処理方法の概略的流れ図である。図３に示されるように、本方法は以下を含む。
【００７３】
３０１．モビリティ管理デバイスが属する第２のネットワークの識別子に従い、第１のネットワークの課金データ記録情報生成デバイスによって生成されたユーザ課金データ記録情報を受信して、ユーザ課金データ記録情報に従い、第２のネットワークの識別子を取得し、第１のネットワークと第２のネットワークは異なるネットワークである。
【００７４】
第１のネットワークの識別子は、これに限定されないが、第１のネットワークのパブリックランドモバイルネットワークＰＬＭＮ識別子を含み、第２のネットワークの識別子は、これに限定されないが、第２のネットワークのＰＬＭＮ識別子を含む。
【００７５】
本発明の実装形態方法では、上述の課金データ記録情報生成デバイスが、生成されたユーザ課金データ記録情報を課金デバイスに送信してもよく、課金デバイスが、ユーザ課金データ記録情報を取得するために、課金データ記録情報生成デバイスに要求メッセージを送信してもよく、課金データ記録情報生成デバイスが、生成されたユーザ課金データ記録情報を課金デバイスに送信する。
【００７６】
３０２．第２のネットワークの識別子、および第１のネットワークの識別子に従い、オペレータネットワークコスト情報を生成する。
【００７７】
実際の適用では、モビリティ管理デバイスが属する第２のネットワークの識別子に加えて、課金データ記録情報生成デバイスによって生成されたユーザ課金データ記録情報が、たとえば、現在サービスしている第１のネットワークの識別子をさらに含む点に留意されたい。
【００７８】
それに対応して、課金デバイスは、モビリティ管理デバイスが属する第２のネットワークの識別子、およびユーザ課金データ記録情報に含まれる現在サービスしている第１のネットワークの識別子に従い、オペレータネットワークコスト情報を生成する。オペレータネットワークコスト情報は、ユーザのホームパブリックランドモバイルネットワークＨＰＬＭＮオペレータに、現在サービスしている第１のネットワークに対応するオペレータ、およびモビリティ管理デバイスが属する第２のネットワークのオペレータに、それぞれ支払うよう指示するために使用される。特定の実装形態の間、たとえば、ユーザのホームＰＬＭＮ（Ｈｏｍｅ  ＰＬＭＮ，ＨＰＬＭＮ）オペレータは、現在サービスしている第１のネットワークに対応するオペレータ（たとえば、ＰＧＷ／ＧＧＳＮ  ＰＬＭＮに対応するオペレータ）、およびモビリティ管理デバイスが属する第２のネットワークのオペレータ（たとえば、ＭＭＥが配置されているＬＴＥネットワークのＰＬＭＮ識別子に対応するネットワークのオペレータ）にそれぞれ支払うことができる。
【００７９】
実際の適用では、ＭＳＣは、ユーザ機器が配置されているＭＭＥおよびＣＳセルによって報告されたＥＣＧＩに従い統計を収集する、たとえば、ＥＣＧＩセルに常駐しているどのユーザ機器が、これらのＣＳセル内にフォールバックするかの統計を収集することができる点に留意されたい。
【００８０】
実際の適用では、ＭＭＥが属するネットワークの識別子に加えて、ユーザ課金データ記録情報は、ＭＭＥが配置されているＬＴＥネットワークのＣＳＦＢタイプおよび／またはＥＣＧＩ、および／またはＭＭＥが配置されているＬＴＥネットワークのＰＬＭＮ識別子、および／またはＭＭＥ識別子、および／またはユーザ機器によって表示された第３のネットワーク名をさらに含み得る点に留意されたい。
【００８１】
実際の適用では、ユーザ課金データ記録情報は、サービスタイプ、たとえば、ユーザ課金データ記録がＣＳＦＢによってトリガされることを表示するために使用されるＣＳＦＢ（ＣＳ  Ｆａｌｌｂａｃｋ，回線交換フォールバック）表示をさらに含み得る点に留意されたい。さらに、ユーザ課金データ記録情報は、セルをグローバルに識別するために使用される、Ｅ−ＵＴＲＡＮセルグローバル識別子ＥＣＧＩをさらに含み得る。たとえば、課金システムは、ＥＣＧＩ情報に従い、ロケーション課金を実行することができる。
【００８２】
本発明の実施形態では、課金データ記録情報生成デバイスは、モビリティ管理デバイスが属する第２のネットワークの識別子をユーザ課金データ記録情報に追加して、ユーザ課金データ記録情報を課金デバイスに送信して、課金デバイスが、モビリティ管理デバイスが属する第２のネットワークの識別子を含むユーザ課金データ記録情報に従い、モビリティ管理デバイスが属する第２のネットワークと、現在サービスしている第１のネットワークとの間のネットワーク間コスト決済を実行できるようにする。これは、無線アクセスネットワークが共有される場合、既存の課金データ記録情報生成デバイスによって生成されたユーザ課金データ記録情報に基づいて、異なるネットワークオペレータ間のネットワーク間コスト決済が行われることはできず、モビリティ管理デバイスが属する第２のネットワークの識別子を含まず、いくつかのオペレータの利益の損失が生じる場合があるという問題を解決する。
【００８３】
図４は、本発明の別の実施形態による、課金デバイスの概略的構造図である。図４に示されるように、課金デバイスは、
モビリティ管理デバイスが属する第２のネットワークの識別子に従い、第１のネットワークの課金データ記録情報生成デバイスによって生成されたユーザ課金データ記録情報を受信して、ユーザ課金データ記録情報に従い、ユーザ課金データ記録情報に含まれる第２のネットワークの識別子を取得するように構成された取得モジュールであって、第１のネットワークと第２のネットワークが異なるネットワークである取得モジュール４１と、
取得モジュールによって取得された、モビリティ管理デバイスが属する第２のネットワークの識別子に基づいて、取得モジュールによって取得されたモビリティ管理デバイスが属する第２のネットワークの識別子と、第１のネットワークの識別子とに従い、オペレータネットワークコスト情報を生成するように構成された、オペレータネットワークコスト情報生成モジュール４２とを含む。
【００８４】
オペレータネットワークコスト情報は、ユーザのホームパブリックランドモバイルネットワークＨＰＬＭＮオペレータに、第１のネットワークに対応するオペレータ、およびモビリティ管理デバイスが属する第２のネットワークのオペレータに、それぞれ支払うよう指示するために使用される。
【００８５】
第１のネットワークの識別子は、これに限定されないが、第１のネットワークのパブリックランドモバイルネットワークＰＬＭＮ識別子を含み、第２のネットワークの識別子は、これに限定されないが、第２のネットワークのＰＬＭＮ識別子を含む。
【００８６】
本発明の実施形態では、課金データ記録情報生成デバイスは、モビリティ管理デバイスが属する第２のネットワークの識別子をユーザ課金データ記録情報に追加して、ユーザ課金データ記録情報を課金デバイスに送信して、課金デバイスが、モビリティ管理デバイスが属する第２のネットワークの識別子を含むユーザ課金データ記録情報に従い、モビリティ管理デバイスが属する第２のネットワークと、現在サービスしている第１のネットワークとの間のネットワーク間コスト決済を実行できるようにする。これは、無線アクセスネットワークが共有される場合、既存の課金データ記録情報生成デバイスによって生成されたユーザ課金データ記録情報に基づいて、異なるネットワークオペレータ間のネットワーク間コスト決済が行われることはできず、モビリティ管理デバイスが属する第２のネットワークの識別子を含まず、いくつかのオペレータの利益の損失が生じる場合があるという問題を解決する。
【００８７】
図５は、本発明の別の実施形態による、課金情報処理システムの概略的構造図である。図５に示されるように、課金情報処理システムは、図２に示される装置実施形態内の課金データ記録情報生成デバイス５１、および図４に示される装置実施形態内の課金デバイス５２を含む。
【００８８】
課金データ記録情報生成デバイス５１の関連コンテンツについては、図２に対応する実施形態における関連記述が参照されてよい。課金デバイス５２の関連コンテンツについては、図４に対応する実施形態における詳細な説明が参照されてよく、本明細書ではさらに説明しない。
【００８９】
本システムは、
要求メッセージを課金データ記録情報生成デバイスに送信するように構成されたモビリティ管理デバイス５３であって、要求メッセージが、モビリティ管理デバイスが属する第２のネットワークの識別子を含む、モビリティ管理デバイス５３をさらに含む。
【００９０】
本発明の実施形態では、課金データ記録情報生成デバイスは、モビリティ管理デバイスが属する第２のネットワークの識別子をユーザ課金データ記録情報に追加して、ユーザ課金データ記録情報を課金デバイスに送信して、課金デバイスが、モビリティ管理デバイスが属する第２のネットワークの識別子を含むユーザ課金データ記録情報に従い、モビリティ管理デバイスが属する第２のネットワークと、現在サービスしている第１のネットワークとの間のネットワーク間コスト決済を実行できるようにする。これは、無線アクセスネットワークが共有される場合、既存の課金データ記録情報生成デバイスによって生成されたユーザ課金データ記録情報に基づいて、異なるネットワークオペレータ間のネットワーク間コスト決済が行われることはできず、モビリティ管理デバイスが属する第２のネットワークの識別子を含まず、いくつかのオペレータの利益の損失が生じる場合があるという問題を解決する。
【００９１】
当業者は、上述の実施形態は、ＬＴＥと１ｘＲＴＴ、たとえばｌｘＣＳＦＢとｌｘＳＲＶＣＣとの間の相互運用に適用可能であることを明確に理解することができる。
【００９２】
さらに、ＣＳＦＢシナリオでは、ユーザ機器が、ＣＳＦＢサービスを開始するために任意の利用可能なＣＳネットワーク内でフォールバックし得るので、オプションのソリューションは、ネットワークが課金間隔をユーザ機器に通知して、ユーザ機器が課金情報をユーザに表示することである。たとえば、音声料金は、１分当たり１元から１０元である。さらに、ユーザ機器は、ＬＴＥオペレータネットワーク名と、２Ｇ／３Ｇ  ＣＳオペレータネットワーク名とを同時に表示することができる（たとえば、ネットワーク表示が全く受信されていない場合）。２／３Ｇ  ＣＳオペレータのネットワーク名は、ユーザ機器によってジョイントアタッチメントまたはロケーション更新を実行する過程でＭＭＥによって選択されたＭＳＣＶＬＲに対応するＣＳネットワークオペレータのネットワーク名でもよく、別のＣＳネットワークオペレータのネットワーク名でもよい。さらに、ユーザ機器は、複数のＣＳネットワークオペレータのネットワーク名を同時に表示することができる。
【００９３】
任意で、ＣＳＦＢサービス処理において、ユーザ機器が、ＰＬＭＮが変更されたこと、すなわち、ＬＴＥネットワークのＰＬＭＮが、フォールバックした２Ｇ／３Ｇ  ＣＳネットワークのＰＬＭＮとは異なることを発見すると、ユーザ機器はこの変更をユーザに通知する。たとえば、ユーザ機器は単語や音声でユーザにメッセージを表示する。
【００９４】
本発明の別の実施形態は、第１のネットワークに配置された、プロセッサを含む、課金データ記録情報生成デバイスを提供する。プロセッサが実行されると、プロセッサは、
モビリティ管理デバイスが属する第２のネットワークの識別子を受信するステップと、
ユーザ課金データ記録情報を生成するステップであって、ユーザ課金データ記録情報が、モビリティ管理デバイスが属する第２のネットワークの識別子を含む、ステップとを実行する。
【００９５】
特定の実装形態の間、モビリティ管理デバイスが属する第２のネットワークの識別子を受信するステップは、
モビリティ管理デバイスによって送信された要求メッセージを受信するステップであって、要求メッセージが、モビリティ管理デバイスが属する第２のネットワークの識別子を含む、ステップを含む。
【００９６】
要求メッセージは、ロケーション更新要求メッセージ、サービス要求メッセージ、セッション作成要求メッセージ、およびベアラ修正要求のうちの少なくとも１つを含む。
【００９７】
第１のネットワークと第２のネットワークは異なるネットワークである。第１のネットワークの識別子は、これに限定されないが、第１のネットワークのパブリックランドモバイルネットワークＰＬＭＮ識別子を含み、第２のネットワークの識別子は、これに限定されないが、第２のネットワークのＰＬＭＮ識別子を含む。
【００９８】
課金データ記録情報生成デバイスは、モバイルサービス交換センタサーバＭＳＣサーバ、サービング汎用パケット無線サービスサポートノードＳＧＳＮ、ゲートウェイ汎用パケット無線サービスサポートノードＧＧＳＮ、サービングゲートウェイＳＧＷ、パケットデータネットワークゲートウェイＰＧＷ、およびモビリティ管理エンティティＭＭＥのうちの少なくとも１つを含む。
【００９９】
モビリティ管理デバイスは、モビリティ管理エンティティＭＭＥと、サービング汎用パケット無線サービスサポートノードＳＧＳＮのうちの少なくとも１つを含む。
【０１００】
具体的には、課金データ記録情報生成デバイスは、プロセッサに加えて、メモリ、バス、およびハードディスクなどの構成要素をさらに含み、プロセッサは、バスを通じてメモリおよびハードディスクにそれぞれ接続されている。
【０１０１】
本発明の別の実施形態は、プロセッサを含む課金デバイスを提供する。プロセッサが実行されると、プロセッサは、
ユーザ課金データ記録情報に従い、ユーザ課金データ記録情報に含まれる、モビリティ管理デバイスが属する第２のネットワークの識別子を取得するステップであって、ユーザ課金データ記録情報が、モビリティ管理デバイスが属する第２のネットワークの識別子に従い第１のネットワークの課金データ記録情報生成デバイスによって生成される、ステップと、
モビリティ管理デバイスが属する第２のネットワークの識別子と、第１のネットワークの識別子とに従い、オペレータネットワークコスト情報を生成するステップとを実行する。
【０１０２】
オペレータネットワークコスト情報は、ユーザのホームパブリックランドモバイルネットワークＨＰＬＭＮオペレータに、現在サービスしている第１のネットワークに対応するオペレータ、およびモビリティ管理デバイスが属する第２のネットワークのオペレータに、それぞれ支払うよう指示するために使用される。
【０１０３】
第１のネットワークと第２のネットワークは異なるネットワークである。第１のネットワークの識別子は、これに限定されないが、第１のネットワークのパブリックランドモバイルネットワークＰＬＭＮ識別子を含み、第２のネットワークの識別子は、これに限定されないが、第２のネットワークのＰＬＭＮ識別子を含む。
【０１０４】
具体的には、課金デバイスは、プロセッサに加えて、メモリ、バス、およびハードディスクなどの構成要素をさらに含み、プロセッサは、バスを通じてメモリおよびハードディスクにそれぞれ接続されている。
【０１０５】
本発明の実施形態では、課金データ記録情報生成デバイスは、モビリティ管理デバイスが属する第２のネットワークの識別子をユーザ課金データ記録情報に追加して、ユーザ課金データ記録情報を課金デバイスに送信して、課金デバイスが、モビリティ管理デバイスが属する第２のネットワークの識別子を含むユーザ課金データ記録情報に従い、モビリティ管理デバイスが属する第２のネットワークと、現在サービスしている第１のネットワークとの間のネットワーク間コスト決済を実行できるようにする。これは、無線アクセスネットワークが共有される場合、既存の課金データ記録情報生成デバイスによって生成されたユーザ課金データ記録情報に基づいて、異なるネットワークオペレータ間のネットワーク間コスト決済が行われることはできず、モビリティ管理デバイスが属する第２のネットワークの識別子を含まず、いくつかのオペレータの利益の損失が生じる場合があるという問題を解決する。
【０１０６】
当業者には、上述のシステム、装置、およびユニットの詳細な作業工程についての便利で簡単な説明のために、上述の方法実施形態における対応する処理が参照されてよいことが明確に理解されよう。したがって、本明細書では詳細を再び説明しない。
【０１０７】
本出願において提供されるいくつかの実施形態では、開示されるシステム、装置、および方法は他の方法で実装され得ることが理解されるべきである。たとえば、説明される装置実施形態は例示的なものにすぎない。たとえば、ユニット部門は、論理的機能部門にすぎず、実際の実装形態では他の部門でもよい。たとえば、複数のユニットまたは構成要素は、結合されてもよく、別のシステムに統合されてもよく、またはいくつかの機能が無視されてもよく、実行されなくてもよい。さらに、表示された、または議論された相互結合、直接結合、または通信接続は、いくつかのインターフェースを通じて実装され得る。装置またはユニット間の間接結合または通信接続は、電子的、機械的、または他の形態で実装され得る。
【０１０８】
別の部分として説明されたユニットは、物理的に分離していてもよく分離していなくてもよく、またユニットとして表示された部分は物理的ユニットでもよく物理的ユニットではなくてもよく、ある位置に配置されてもよく、複数のネットワークユニットに分散されてもよい。ユニットの一部またはすべては、本実施形態のソリューションの目的を達成するために実際のニーズに応じて選択され得る。
【０１０９】
さらに、本発明の実施形態における機能ユニットは、１つの処理ユニットに統合されてもよく、それぞれのユニットが物理的に単独で存在してもよく、複数のユニットが１つのユニットに統合されてもよい。統合されたユニットは、ハードウェアの形態で実装されてもよく、ハードウェアに加えてソフトウェア機能ユニットの形態で実装されてもよい。
【０１１０】
ソフトウェア機能ユニットの形態で実装された統合されたユニットは、コンピュータ可読記憶媒体に格納され得る。ソフトウェア機能ユニットは記憶媒体に格納され、コンピュータデバイス（パーソナルコンピュータ、サーバ、ネットワークデバイス、または同等物でよい）に、本発明の実施形態に記載の方法のステップの一部を実行するよう指示するためのいくつかの命令を含む。記憶媒体は、リムーバブルハードディスク、読出し専用メモリ（Ｒｅａｄ−Ｏｎｌｙ  Ｍｅｍｏｒｙ、略してＲＯＭ）、ランダムアクセスメモリ（Ｒａｎｄｏｍ  Ａｃｃｅｓｓ  Ｍｅｍｏｒｙ、略してＲＡＭ）、磁気ディスク、または光ディスクなどの、プログラムコードを格納することができる任意の媒体を含む。
【０１１１】
最後に、上述の実施形態は、本発明を限定することを意図するものではなく、本発明の技術的ソリューションを説明することを意図するものにすぎない点に留意されたい。本発明は、上述の実施形態を参照して詳細に説明されているが、当業者は、そのような修正および置換が対応する技術的ソリューションの本質を本発明の実施形態の技術的ソリューションの範囲から逸脱させない限り、上述の実施形態に記載の技術的ソリューションに依然として修正を行ってもよく、それらのいくつかの技術的特徴に同等の置換を行ってもよいことを理解するべきである。
【図１】
2015537404.tif 000003
【図２】
2015537404.tif 000004
【図３】
2015537404.tif 000005
【図４】
2015537404.tif 000006
【図５】
2015537404.tif 000007
【手続補正書】
【提出日】平成27年4月30日(2015.4.30)
【手続補正１】
【補正対象書類名】明細書
【補正対象項目名】全文
【補正方法】変更
【補正の内容】
【発明の詳細な説明】
【技術分野】
【０００１】
本出願は、参照によりその全体が本明細書に組み込まれている、２０１２年９月２９日に中国特許庁に出願された「ＣＨＡＲＧＩＮＧ  ＩＮＦＯＲＭＡＴＩＯＮ  ＰＲＯＣＥＳＳＩＮＧ  ＭＥＴＨＯＤ，ＡＰＰＡＲＡＴＵＳ，ＡＮＤ  ＳＹＳＴＥＭ」と題する中国特許出願第２０１２１０３７９４６５．３の優先権を主張するものである。
【０００２】
本発明は、ワイヤレスネットワーク通信技術に関し、特に、課金情報処理方法、装置、およびシステムに関する。
【背景技術】
【０００３】
無線アクセスネットワークを展開する際のオペレータのコストを削減するために、３ＧＰＰは、ネットワーク共有のアイデア、すなわち、複数のオペレータのパブリックランドモバイルネットワーク（ＰＬＭＮ）、または１つのオペレータの複数のＰＬＭＮが、同じ無線アクセスネットワークを共有して、無線通信サービスを提供することができることを提供する。たとえば、３ＧＰＰは、回線交換フォールバック（ＣＳＦＢ）技術、およびＳＭＳ  ｏｖｅｒ  ＳＧｓ技術を提供する。
【０００４】
以下では、説明のための例としてＣＳＦＢ技術を使用する。ロングタームエボリューション（ＬＴＥ）ネットワーク上で、ユーザ機器（ＵＥ）によってジョイントアタッチメントまたはトラッキングエリア更新（ＴＡＵ）を実行する過程で、モビリティ管理エンティティ（ＭＭＥ）は、セッション作成要求内の現在のサービングノードのＰＬＭＮ識別子、もしくはベアラ修正要求、または他の要求メッセージだけを、サービングゲートウェイ／パケットデータネットワークゲートウェイ（ＳＧＷ／ＰＧＷ）に搬送し、現在のサービングネットワークのＰＬＭＮ識別子が、ユーザ機器によって表示されたネットワーク名に対応するＰＬＭＮ識別子と同じである場合、オペレータ間に課金問題は発生しない。
【０００５】
しかし、現在のサービングネットワークのＰＬＭＮ識別子が、ユーザ機器によって表示されたネットワーク名に対応するＰＬＭＮ識別子とは異なる場合、現在の課金データ記録情報生成デバイスによって生成されたユーザ課金データ記録情報は現在のサービングノードのＰＬＭＮ識別子だけしか含まないので、ＭＭＥが属するＰＳネットワークのオペレータ、現在のサービングノードのオペレータ、およびユーザ機器が属するオペレータは、ネットワーク間のコスト決済を実行することができず、具体的には、ユーザ機器にネットワーク共有サービスを提供するＭＭＥが属するＰＳネットワークのオペレータ、およびユーザ機器が属するオペレータは、既存のユーザ課金データ記録情報に応じて、それらの支払われるべき利益を得ることができない。
【０００６】
したがって、無線アクセスネットワークが共有される場合、既存の課金データ記録情報生成デバイスによって生成されたユーザ課金データ記録情報に基づいて、異なるネットワークオペレータ間のネットワーク間コスト決済が行われることはできず、いくつかのオペレータの利益の損失を生じる場合がある。
【発明の概要】
【課題を解決するための手段】
【０００７】
これに鑑みて、本発明の実施形態は、既存の課金データ記録情報生成デバイスによって生成されたユーザ課金データ記録情報に基づいて、異なるネットワークオペレータ間のネットワーク間コスト決済が行われることができないという問題を解決することができる、課金情報処理方法、装置、およびシステムを提供する。
【０００８】
第１の態様によれば、本発明の実施形態は、
第１のネットワークの課金データ記録情報生成デバイスによって、モビリティ管理デバイスが属する第２のネットワークの識別子を受信するステップであって、第１のネットワークと第２のネットワークが異なるネットワークである、ステップと、
課金データ記録情報生成デバイスによって、ユーザ課金データ記録情報を生成するステップであって、ユーザ課金データ記録情報が第２のネットワークの識別子を含む、ステップとを含む、課金情報処理方法を提供する。
【０００９】
第１の態様を参照すると、第１の可能な実装形態方法では、課金データ記録情報生成デバイスによって、モビリティ管理デバイスが属する第２のネットワークの識別子を受信するステップは、
課金データ記録情報生成デバイスによって、モビリティ管理デバイスによって送信された要求メッセージを受信するステップであって、要求メッセージが、モビリティ管理デバイスが属する第２のネットワークの識別子を含む、ステップを含む。
【００１０】
要求メッセージは、ロケーション更新要求メッセージ、サービス要求メッセージ、セッション作成要求メッセージ、およびベアラ修正要求メッセージのうちの少なくとも１つを含む。
【００１１】
第２のネットワークの識別子は、第２のネットワークのＰＬＭＮ識別子、第２のネットワークのセル識別子、およびモビリティ管理デバイスの識別子のうちの少なくとも１つを含む。
【００１２】
課金データ記録情報生成デバイスは、モバイルサービス交換センタサーバＭＳＣサーバ、サービング汎用パケット無線サービスサポートノードＳＧＳＮ、ゲートウェイ汎用パケット無線サービスサポートノードＧＧＳＮ、サービングゲートウェイＳＧＷ、パケットデータネットワークゲートウェイＰＧＷ、およびモビリティ管理エンティティＭＭＥのうちの少なくとも１つを含む。
【００１３】
モビリティ管理デバイスは、モビリティ管理エンティティＭＭＥと、サービング汎用パケット無線サービスサポートノードＳＧＳＮとのうちの少なくとも１つを含む。
【００１４】
第２の態様によれば、本発明の実施形態は、
モビリティ管理デバイスが属する第２のネットワークの識別子を受信するように構成された受信モジュールであって、第１のネットワークと第２のネットワークが異なるネットワークである、受信モジュールと、
受信モジュールによって受信された第２のネットワークの識別子に従い、ユーザ課金データ記録情報を生成するように構成されたユーザ課金データ記録情報生成モジュールであって、ユーザ課金データ記録情報が第２のネットワークの識別子を含む、ユーザ課金データ記録情報生成モジュールとを含む、第１のネットワークに配置された課金データ記録情報生成デバイスを提供する。
【００１５】
第２の態様を参照すると、第１の可能な実装形態方法では、受信モジュールは、モビリティ管理デバイスによって送信された要求メッセージを受信するように特に構成されており、要求メッセージは、モビリティ管理デバイスが属する第２のネットワークの識別子を含む。
【００１６】
要求メッセージは、ロケーション更新要求メッセージ、サービス要求メッセージ、セッション作成要求メッセージ、およびベアラ修正要求のうちの少なくとも１つを含む。
【００１７】
第２のネットワークの識別子は、第２のネットワークのＰＬＭＮ識別子、第２のネットワークのセル識別子、およびモビリティ管理デバイスの識別子のうちの少なくとも１つを含む。
【００１８】
課金データ記録情報生成デバイスは、モバイルサービス交換センタサーバＭＳＣサーバ、サービング汎用パケット無線サービスサポートノードＳＧＳＮ、ゲートウェイ汎用パケット無線サービスサポートノードＧＧＳＮ、サービングゲートウェイＳＧＷ、パケットデータネットワークゲートウェイＰＧＷ、およびモビリティ管理エンティティＭＭＥのうちの少なくとも１つを含む。
【００１９】
第３の態様によれば、本発明の実施形態は、
ユーザ課金データ記録情報に従って、ユーザ課金データ記録情報に含まれる、モビリティ管理デバイスが属する第２のネットワークの識別子を取得するステップであって、ユーザ課金データ記録情報が、モビリティ管理デバイスが属する第２のネットワークの識別子に従い第１のネットワークの課金データ記録情報生成デバイスによって生成され、第１のネットワークと第２のネットワークが異なるネットワークである、ステップと、
第２のネットワークの識別子と第１のネットワークの識別子とに従い、オペレータネットワークコスト情報を生成するステップとを含む、課金情報処理方法を提供する。
【００２０】
オペレータネットワークコスト情報は、ユーザのホームパブリックランドモバイルネットワークＨＰＬＭＮオペレータに、第１のネットワークに対応するオペレータ、およびモビリティ管理デバイスが属する第２のネットワークのオペレータに、それぞれ支払うよう指示するために使用される。
【００２１】
第２のネットワークの識別子は、第２のネットワークのＰＬＭＮ識別子、第２のネットワークのセル識別子、およびモビリティ管理デバイスの識別子のうちの少なくとも１つを含む。
【００２２】
第４の態様によれば、本発明の実施形態は、
ユーザ課金データ記録情報に従って、ユーザ課金データ記録情報に含まれる、モビリティ管理デバイスが属する第２のネットワークの識別子を取得するように構成された取得モジュールであって、ユーザ課金データ記録情報が、モビリティ管理デバイスが属する第２のネットワークの識別子に従い第１のネットワークの課金データ記録情報生成デバイスに従って生成され、第１のネットワークと第２のネットワークが異なるネットワークである、取得モジュールと、
取得モジュールによって取得された、モビリティ管理デバイスが属する第２のネットワークの識別子と、第１のネットワークの識別子とに従い、オペレータネットワークコスト情報を生成するように構成されたオペレータネットワークコスト情報生成モジュールとを含む、課金デバイスを提供する。
【００２３】
オペレータネットワークコスト情報は、ユーザのホームパブリックランドモバイルネットワークＨＰＬＭＮオペレータに、第１のネットワークに対応するオペレータ、およびモビリティ管理デバイスが属する第２のネットワークのオペレータに、それぞれ支払うよう指示するために使用される。
【００２４】
第２のネットワークの識別子は、第２のネットワークのＰＬＭＮ識別子、第２のネットワークのセル識別子、およびモビリティ管理デバイスの識別子のうちの少なくとも１つを含む。
【００２５】
第５の態様によれば、本発明の実施形態は、課金データ記録情報生成デバイスと課金デバイスとを含む、課金情報処理システムを提供する。
【００２６】
本発明の実施形態では、第１のネットワークの課金データ記録情報生成デバイスは、モビリティ管理デバイスが属する第２のネットワークの識別子をユーザ課金データ記録情報に追加して、ユーザ課金データ記録情報を課金デバイスに送信して、課金デバイスが、モビリティ管理デバイスが属する第２のネットワークの識別子を含むユーザ課金データ記録情報に従い、モビリティ管理デバイスが属する第２のネットワークと、現在サービスしている第１のネットワークとの間のネットワーク間コスト決済を実行できるようにする。これは、無線アクセスネットワークが共有される場合、既存の課金データ記録情報生成デバイスによって生成されたユーザ課金データ記録情報に基づいて、異なるネットワークオペレータ間のネットワーク間コスト決済が行われることはできず、モビリティ管理デバイスが属する第２のネットワークの識別子を含まず、いくつかのオペレータの利益の損失が生じる場合があるという問題を解決する。
【図面の簡単な説明】
【００２７】
本発明の実施形態または従来技術における技術的ソリューションをより明確に説明するために、実施形態または従来技術を説明するために必要な添付の図面を以下簡単に紹介する。明らかに、以下の説明における添付の図面は、本発明のいくつかの実施形態を単に示すにすぎず、当業者は依然として、創造的努力なしに、これらの添付の図面から他の図面を得ることができる。
【図１】本発明の実施形態による、課金情報処理方法の概略的流れ図である。
【図２】本発明の別の実施形態による、課金データ記録情報生成デバイスの概略的構造図である。
【図３】本発明の別の実施形態による、課金情報処理方法の概略的流れ図である。
【図４】本発明の別の実施形態による、課金デバイスの概略的構造図である。
【図５】本発明の別の実施形態による、課金情報処理システムの概略的流れ図である。
【発明を実施するための形態】
【００２８】
本発明の実施形態の目的、技術的解決、および利点をよりわかりやすくするために、以下、本発明の実施形態における技術的解決を、本発明の実施形態における添付の図面を参照して明確かつ完全に説明する。明らかに、説明する実施形態は、本発明の実施形態のすべてではなく、その一部にすぎない。本発明の実施形態に基づいて、当業者によって創造的努力なしに取得される他のすべての実施形態は、本発明の保護範囲内である。
【００２９】
本発明の技術的解決は、様々なワイヤレス通信システムに適用することができる。以下の実施形態のそれぞれにおいて言及される第１のネットワークおよび第２のネットワークは、たとえば、グローバルシステムフォーモバイルコミュニケーション（略してＧＳＭ（登録商標））、汎用パケット無線サービス（略してＧＰＲＳ）システム、符号分割多元接続（略してＣＤＭＡ）システム、ＣＤＭＡ  ２０００システム、広帯域符号分割多元接続（略してＷＣＤＭＡ（登録商標））システム、ロングタームエボリューション（略してＬＴＥ）システム、またはワールドインターオペラビリティフォーマイクロウェーブアクセス（略してＷｉＭＡＸ）システムなどを含む。
【００３０】
本発明の技術的解決では、課金データ記録情報生成デバイスは、これに限定されないが、モバイル交換センタ／ビジタロケーションレジスタ（ＭＳＣ／ＶＬＲ）、サービングゲートウェイ／パケットデータネットワークゲートウェイ（ＳＧＷ／ＰＧＷ）、サービングＧＰＲＳサポートノード（ＳＧＳＮ）、ゲートウェイ汎用パケット無線サービスサポートノード（ＧＧＳＮ）を含むことができ、ＭＳＣ／ＶＬＲは、単一無線音声呼継続性（ＳＲＶＣＣ）ＭＳＣ／ＶＬＲでもよく、ＣＳＦＢ  ＭＳＣ／ＶＬＲでもよい。
【００３１】
図１は、本発明の実施形態による、課金情報処理方法の概略的流れ図である。図１に示されるように、この実施形態の課金方法は、以下を含み得る。
【００３２】
１０１．第１のネットワークの課金データ記録情報生成デバイスが、モビリティ管理デバイスが属する第２のネットワークの識別子を受信して、第１のネットワークと第２のネットワークは異なるネットワークである。
【００３３】
第１のネットワークの識別子は、これに限定されないが、第１のネットワークのパブリックランドモバイルネットワークＰＬＭＮ識別子を含み、第２のネットワークの識別子は、これに限定されないが、第２のネットワークのＰＬＭＮ識別子を含む。
【００３４】
たとえば、モビリティ管理デバイスが属する第２のネットワークの識別子は、モビリティ管理デバイスが配置されているＬＴＥネットワークのＥ−ＵＴＲＡＮセルグローバル識別子（Ｅ−ＵＴＲＡＮ  Ｃｅｌｌ  Ｇｌｏｂａｌ  Ｉｄｅｎｔｉｆｉｃａｔｉｏｎ，ＥＣＧＩ）、モビリティ管理デバイスが配置されているＬＴＥネットワークのＰＬＭＮ識別子、モビリティ管理デバイスの識別子、およびモビリティ管理デバイスが配置されている２Ｇ／３ＧネットワークのＰＬＭＮ識別子のうちの少なくとも１つを含む。
【００３５】
本発明の実装形態方法では、課金データ記録情報生成デバイスは、ユーザ機器によって表示されたネットワーク名に対応するＰＬＭＮ識別子をさらに受信することができる。たとえば、ユーザ機器が正常にオペレータのネットワークに登録された後、ユーザ機器は、登録されたネットワーク名をユーザに表示するべきであり、ユーザ機器によって表示されたネットワーク名は、モビリティ管理デバイス（たとえば、ＭＭＥ）によって送信されたネットワーク名に従い、またはユーザ機器の構成に従い表示され得る。
【００３６】
たとえば、ＭＭＥは、ＬＴＥ  ＰＬＭＮ識別子またはＣＳ  ＰＬＭＮ識別子に従い、モビリティ管理情報内の対応するネットワーク名を搬送して、モビリティ管理情報をユーザ機器に送信して、ユーザ機器が、受信されたネットワーク名に従い、ネットワーク名をユーザに表示する。ユーザ機器によって表示されたネットワーク名に対応するＰＬＭＮ識別子は、ＭＭＥが属するＰＳネットワークのＰＬＭＮ識別子（すなわち、ＬＴＥ  ＰＬＭＮ  ＩＤ）であり、または、ユーザ機器によって表示されたネットワーク名に対応するＰＬＭＮ識別子は、モバイルサービス交換センタ（ＭＳＣ）またはビジタロケーションレジスタ（ＶＬＲ）を通じてＭＭＥが登録されたＣＳネットワークのＰＬＭＮ識別子（すなわち、ＣＳ  ＰＬＭＮ  ＩＤ）である。
【００３７】
ＭＭＥは、ユーザ機器に送信されたモビリティ管理情報で搬送されたネットワーク名に対応するＰＬＭＮ識別子に従い、ＰＬＭＮ識別子を、ユーザ機器によって表示されたネットワーク名に対応するＰＬＭＮ識別子として決定することができる。あるいは、ＭＭＥは、モビリティ管理情報をユーザ機器に送信せず、ユーザ機器が、ユーザ機器の構成に従いネットワーク名を表示する。この場合、ＭＭＥはまた、ユーザ機器によって構成されたネットワーク名に従い、ネットワーク名に対応するＰＬＭＮ識別子を、ユーザ機器によって表示されたネットワーク名に対応するＰＬＭＮ識別子として決定する。
【００３８】
この実施形態のオプションの実装形態方法では、課金データ記録情報生成デバイスは、モビリティ管理デバイスによって送信された要求メッセージを受信して、要求メッセージは、モビリティ管理デバイスが属する第２のネットワークの識別子を含む。
【００３９】
モビリティ管理デバイスによって送信されて、課金データ記録情報生成デバイスによって受信された要求メッセージは、ユーザ機器によって表示されたネットワーク名、およびユーザ機器によって表示されたネットワーク名に対応するＰＬＭＮ識別子をさらに搬送し得る点に留意されたい。
【００４０】
要求メッセージは、これに限定されないが、ロケーション更新要求メッセージ、サービス要求メッセージ、セッション作成要求メッセージ、またはベアラ修正要求を含む点に留意されたい。
【００４１】
たとえば、ユーザ機器が、ＣＳＦＢにおいてジョイントアタッチメント／ジョイントロケーション更新を実行すると、ＭＭＥは、ＭＳＣ／ＶＬＲに送信されるロケーション更新要求メッセージ内で、ユーザ機器によって表示されたネットワーク名に対応するＰＬＭＮ識別子、および／またはＭＭＥが属するネットワークの識別子を搬送することができ、ＭＭＥが属するネットワークの識別子は、たとえば、ＭＭＥが配置されているＬＴＥネットワークのＥＣＧＩ、および／またはＭＭＥが配置されているＬＴＥネットワークのＰＬＭＮ識別子、および／またはＭＭＥ識別子を含み、ロケーション更新要求メッセージは、ユーザ機器によって表示されたネットワーク名をさらに搬送し得る。
【００４２】
別の例では、ユーザ機器がＣＳＦＢ音声被呼処理を実行すると、ＭＭＥは、ＭＳＣ／ＶＬＲに送信されるサービス要求メッセージ内で、ユーザ機器によって表示されたネットワーク名に対応するＰＬＭＮ識別子、および／またはＭＭＥが属するネットワークの識別子を搬送することができ、ＭＭＥが属するネットワークの識別子は、たとえば、ＭＭＥが配置されているＬＴＥネットワークのＥＣＧＩ、および／またはＭＭＥが配置されているＬＴＥネットワークのＰＬＭＮ識別子、および／またはＭＭＥ識別子を含み、サービス要求メッセージは、ユーザ機器によって表示されたネットワーク名をさらに搬送し得る。
【００４３】
別の例では、ユーザ機器がＣＳＦＢ音声発呼処理を実行すると、ＭＭＥは、ＭＳＣ／ＶＬＲに送信されるサービス要求メッセージまたは別の要求メッセージ内で、ユーザ機器によって表示されたネットワーク名に対応するＰＬＭＮ識別子、および／またはＭＭＥが属するネットワークの識別子を搬送することができ、ＭＭＥが属するネットワークの識別子は、たとえば、ＭＭＥが配置されているＬＴＥネットワークのＥＣＧＩ、および／またはＭＭＥが配置されているＬＴＥネットワークのＰＬＭＮ識別子、および／またはＭＭＥ識別子を含み、サービス要求メッセージまたは別の要求メッセージは、ユーザ機器によって表示されたネットワーク名をさらに搬送し得る。
【００４４】
別の例では、ユーザ機器が、ＣＳＦＢショートメッセージ発信および終了処理を実行すると、ＭＭＥは、ＭＳＣ／ＶＬＲに送信されるアップリンクユニットデータまたはサービス要求メッセージ内で、ユーザ機器によって表示されたネットワーク名に対応するＰＬＭＮ識別子、および／またはＭＭＥが属するネットワークの識別子を搬送することができ、ＭＭＥが属するネットワークの識別子は、たとえば、ＭＭＥが配置されているＬＴＥネットワークのＥＣＧＩ、および／またはＭＭＥが配置されているＬＴＥネットワークのＰＬＭＮ識別子、および／またはＭＭＥ識別子を含み、アップリンクユニットデータまたはサービス要求メッセージは、ユーザ機器によって表示されたネットワーク名をさらに搬送し得る。
【００４５】
別の例では、ユーザ機器が、ＬＴＥネットワーク上でジョイントアタッチメントまたはジョイントロケーション更新処理を実行すると、ＭＭＥは、ＳＧＷに送信されるセッション作成要求メッセージ、またはベアラ修正要求、または別の要求メッセージ内で、ユーザ機器によって表示されたネットワーク名に対応するＰＬＭＮ識別子、および／またはＭＭＥが属するネットワークの識別子を搬送することができ、ＭＭＥが属するネットワークの識別子は、たとえば、ＭＭＥが配置されているＬＴＥネットワークのＥＣＧＩ、および／またはＭＭＥが配置されているＬＴＥネットワークのＰＬＭＮ識別子、および／またはＭＭＥ識別子を含み、セッション作成要求メッセージ、またはベアラ修正要求、または別の要求メッセージは、ユーザ機器によって表示されたネットワーク名をさらに搬送し得る。
【００４６】
ＳＧＷは、ＰＧＷに、セッション作成要求メッセージ、またはベアラ修正要求、またはユーザ機器によって表示されたネットワーク名に対応するＰＬＭＮ識別子、およびＭＭＥが属するネットワークのＰＬＭＮ識別子を搬送する別の要求メッセージを送信する。
【００４７】
別の例では、ユーザ機器がＬＴＥネットワーク上にＶｏＩＰボイスサービスを実装すると、ユーザ機器がボイスサービスから別のＰＳドメイン、たとえば、高速アップリンクパケットアクセス技術（ＨＳＵＰＡ）にハンドオーバする場合、ＭＭＥが、ＳＧＳＮに送信されるハンドオーバメッセージ内で、ユーザ機器によって表示されたネットワーク名に対応するＰＬＭＮ識別子、およびＭＭＥが属するネットワークの識別子を搬送し、ＳＧＳＮが、ＳＧＷ／ＰＧＷまたはＧＧＳＮに送信されるセッション作成要求メッセージ、またはベアラ修正要求メッセージ、または別の要求メッセージ内で、ユーザ機器によって表示されたネットワーク名に対応するＰＬＭＮ識別子、および／またはＭＭＥが属するネットワークの識別子を搬送し、ＭＭＥが属するネットワークの識別子は、たとえば、ＭＭＥが配置されているＬＴＥネットワークのＥＣＧＩ、またはＭＭＥが配置されているＬＴＥネットワークのＰＬＭＮ識別子、および／またはＭＭＥ識別子を含み、セッション作成要求メッセージ、またはベアラ修正要求、または別の要求メッセージは、ユーザ機器によって表示されたネットワーク名をさらに搬送し得る。
【００４８】
別の例では、ユーザ機器が、３Ｇネットワーク（たとえば、ＨＳＵＰＡネットワーク）上にＶｏＩＰボイスサービスを実装すると、ユーザ機器は、ＬＴＥにハンドオーバするために、ＬＴＥパケット交換（ＰＳ）ハンドオーバ（ＨＯ）を実行する。ハンドオーバの間、ＭＭＥがＶｏＩＰサービスを識別して、ＳＧＷに送信されるセッション作成要求メッセージ、またはベアラ修正要求、または別の要求メッセージ内で、ユーザ機器によって表示されたネットワーク名に対応するＰＬＭＮ識別子、およびＭＭＥが属するネットワークの識別子を搬送する。ユーザ機器によって表示されたネットワーク名に対応するＰＬＭＮ識別子は、３Ｇネットワークに対応するＰＬＭＮ  ＩＤであり、ＳＧＷが、セッション作成要求メッセージ、またはベアラ修正要求、または別の要求メッセージをＰＧＷに送信し、セッション作成要求またはベアラ修正要求が、ユーザ機器によって表示されたネットワーク名に対応するＰＬＭＮ識別子、および／またはＭＭＥが属するネットワークの識別子を搬送し、ＭＭＥが属するネットワークの識別子は、たとえば、ＭＭＥが配置されているＬＴＥネットワークのＥＣＧＩ、および／またはＭＭＥが配置されているＬＴＥネットワークのＰＬＭＮ識別子、またはＭＭＥ識別子を含み、セッション作成要求、またはベアラ修正要求、または別の要求メッセージは、ユーザ機器によって表示されたネットワーク名をさらに搬送し得る。
【００４９】
別の例では、ユーザ機器がＬＴＥネットワーク上にＶｏＩＰボイスサービスを実装すると、ユーザ機器は、単一無線音声呼継続性（ＳＲＶＣＣ）を実行して、２／３Ｇ  ＣＳドメインにハンドオーバする。ＳＧＳＮ／ＭＭＥは、ＭＳＣ／ＶＬＲに送信されるＰＳからＣＳへのハンドオーバメッセージ内で、ユーザ機器によって表示されたネットワーク名に対応するＰＬＭＮ識別子、および／またはＭＭＥが属するネットワークの識別子を搬送することができ、ＭＭＥが属するネットワークの識別子は、たとえば、ＭＭＥが配置されているＬＴＥのＥＣＧＩ、および／またはＭＭＥが配置されているＬＴＥネットワークのＰＬＭＮ識別子、および／またはＭＭＥ識別子を含み、ＰＳからＣＳへのハンドオーバメッセージは、ユーザ機器によって表示されたネットワーク名をさらに搬送し得る。
【００５０】
別の例では、ユーザ機器が、２／３Ｇネットワーク上にＣＳボイスサービスを実装すると、ユーザ機器は、現在のユーザ機器によって表示されたネットワーク名に従って、ユーザ機器が現在常駐する、またはユーザ機器にサービスするネットワークを決定する。ユーザ機器が、ボイスサービスコンタクトを実行する過程で、逆方向単一無線音声呼継続性（ＲＳＶＣＣ）を実装する必要がある場合、ユーザ機器は、ＬＴＥまたは３Ｇ（ＨＳＰＡ）ネットワークにハンドオーバする。ＭＳＣ／ＶＬＲは、ＳＧＳＮ／ＭＭＥに送信されるＣＳからＰＳへのハンドオーバメッセージ内で、ユーザ機器によって表示されたネットワーク名に対応するＰＬＭＮ識別子、および／またはＭＭＥが属するネットワークの識別子を搬送し、ＭＭＥが属するネットワークの識別子は、たとえば、ＭＭＥが配置されているＬＴＥのＥＣＧＩ、および／またはＭＭＥが配置されているＬＴＥネットワークのＰＬＭＮ識別子、および／またはＭＭＥ識別子を含み、ＣＳからＰＳへのハンドオーバメッセージは、ユーザ機器によって表示されたネットワーク名をさらに搬送し得る。
【００５１】
別の例では、ユーザ機器が、２／３Ｇネットワーク上にＣＳボイスサービスを実装すると、ユーザ機器は、現在のユーザ機器によって表示されたネットワーク名に従って、ユーザ機器が現在常駐する、またはユーザ機器にサービスするネットワークを決定する。この場合、ユーザ機器によって表示されたネットワーク名は、２Ｇ／３Ｇネットワークのネットワーク名でよい。ユーザ機器が、ボイスサービスコンタクトを実行する過程で、回路交換ハンドオーバ（ＣＳ  Ｈａｎｄｏｖｅｒ）を実装する必要がある場合、ユーザ機器は、別の２Ｇ／３Ｇネットワークにハンドオーバする。ＭＳＣ／ＶＬＲは、ＭＳＣ／ＶＬＲに送信されるＣＳからＣＳへのハンドオーバメッセージ内で、ユーザ機器によって表示されたネットワーク名に対応するＰＬＭＮ識別子、および／またはＭＭＥが属するネットワークの識別子を搬送し、ＭＭＥが属するネットワークの識別子は、たとえば、ＭＭＥが配置されているＬＴＥのＥＣＧＩ、および／またはＭＭＥが配置されているＬＴＥネットワークのＰＬＭＮ識別子、および／またはＭＭＥ識別子を含み、ＣＳからＣＳへのハンドオーバメッセージは、ユーザ機器によって表示されたネットワーク名をさらに搬送し得る。
【００５２】
課金データ記録情報生成デバイスに送信された要求メッセージ内で、モビリティ管理デバイスによって、ユーザ機器によって表示されたネットワーク名に対応するＰＬＭＮ識別子、および／またはＭＭＥが属するネットワークの識別子を搬送する特定の実装形態は、以下の通りでよい点に留意されたい。新しい情報ユニットを要求メッセージに追加して、新しい情報ユニットは、ユーザ機器によって表示されたネットワーク名に対応するＰＬＭＮ識別子、および／またはＭＭＥが属するネットワークの識別子を格納するように特に構成され、既存の要求メッセージ内のサービングノードのＰＬＭＮ識別子を、ユーザ機器によって表示されたネットワーク名に対応するＰＬＭＮ識別子、およびＭＭＥが属するネットワークのＰＬＭＮ識別子として修正する。
【００５３】
モビリティ管理デバイスは、課金データ記録情報生成デバイスにＰＬＭＮ識別子情報を個別に送信することができ、ＰＬＭＮ識別子情報は、ユーザ機器によって表示されたネットワーク名に対応するＰＬＭＮ識別子、および／またはＭＭＥが属するネットワークの識別子を含む点に留意されたい。ＭＭＥが属するネットワークの識別子は、たとえば、ＭＭＥが配置されているＬＴＥネットワークのＥＣＧＩ、および／またはＭＭＥが配置されているＬＴＥネットワークのＰＬＭＮ識別子、および／またはＭＭＥ識別子を含み、ＰＬＭＮ識別子情報は、ユーザ機器によって表示されたネットワーク名をさらに搬送し得る。
【００５４】
この実施形態のオプションの実装形態方法では、課金データ記録情報生成デバイスは、モビリティ管理デバイスが属する第２のネットワークの識別子を取得するための要求メッセージをモビリティ管理デバイスに送信して、モビリティ管理デバイスが属する第２のネットワークの識別子を含み、モビリティ管理デバイスによって返される、応答メッセージを受信することができる。
【００５５】
１０２．課金データ記録情報生成デバイスが、ユーザ課金データ記録情報を生成して、ユーザ課金データ記録情報は第２のネットワークの識別子を含む。
【００５６】
実際の適用では、ユーザ課金データ記録情報は、サービスタイプ、たとえば、ユーザ課金データ記録がＣＳＦＢによってトリガされることを表示するために使用されるＣＳＦＢ（回線交換フォールバック）表示をさらに含み得る点に留意されたい。さらに、ユーザ課金データ記録情報は、セルをグローバルに識別するために使用される、Ｅ−ＵＴＲＡＮセルグローバル識別子（ＥＣＧＩ）をさらに含み得る。たとえば、課金システムは、ＥＣＧＩ情報に従い、ロケーション課金を実行することができる。
【００５７】
実際の適用では、一般的に、課金データ記録情報生成デバイスによって生成されたユーザ課金データ記録情報は、現在サービスしている第１のネットワークの識別子をさらに含む。
【００５８】
実際の適用では、課金データ記録情報生成デバイスは、ユーザ課金データ記録情報を課金デバイスに送信して、課金デバイスが、モビリティ管理デバイスが属する第２のネットワークの識別子に従い、モビリティ管理デバイスが属する第２のネットワークと、現在サービスしている第１のネットワークとの間のネットワーク間コスト決済を実行できるようにすることができる。特定の実装形態の間、たとえば、ユーザのホームＰＬＭＮ（ＨＰＬＭＮ）は、現在サービスしている第１のネットワークに対応するオペレータ（たとえば、ＰＧＷ／ＧＧＳＮ  ＰＬＭＮに対応するオペレータ）、およびモビリティ管理デバイスが属する第２のネットワークのオペレータ（たとえば、ＭＭＥが配置されているＬＴＥネットワークのＰＬＭＮ識別子に対応するネットワークのオペレータ）にそれぞれ支払うことができる。
【００５９】
さらに、ＭＳＣは、ユーザ機器が配置されているＭＭＥおよびＣＳセルによって報告されたＥＣＧＩに従い統計を収集する、たとえば、ＥＣＧＩセルに常駐しているどのユーザ機器が、これらのＣＳセル内にフォールバックするかの統計を収集することができる。
【００６０】
上記の課金データ記録情報生成デバイスは、これに限定されないが、モバイル交換センタ／ビジタロケーションレジスタ（ＭＳＣ／ＶＬＲ）、サービングゲートウェイ／パケットデータネットワークゲートウェイ（ＳＧＷ／ＰＧＷ）、サービングＧＰＲＳサポートノード（ＳＧＳＮ）、ゲートウェイ汎用パケット無線サービスサポートノード（ＧＧＳＮ）を含むことができ、ＭＳＣ／ＶＬＲは、単一無線音声呼継続性（ＳＲＶＣＣ）ＭＳＣ／ＶＬＲでもよく、ＣＳＦＢ  ＭＳＣ／ＶＬＲを含み得る点に留意されたい。
【００６１】
ＣＳＦＢサービスの実装形態の間、ＭＭＥはユーザ課金データ記録情報も生成することができ、ユーザ課金データ記録情報は、ＭＭＥが属するネットワークの識別子を含み、ＭＭＥがユーザ課金データ記録情報を課金デバイスに送信し、課金デバイスが、ＭＭＥが属するネットワークの識別子に従い、ＭＭＥが属するネットワークに対応するオペレータと、現在サービスしているネットワークに対応するオペレータとの間のネットワーク間コスト決済を実行する点に留意されたい。
【００６２】
実際の適用では、ＭＭＥが属するネットワークの識別子に加えて、ユーザ課金データ記録情報は、ＭＭＥが配置されているＬＴＥネットワークのＣＳＦＢタイプおよび／またはＥＣＧＩ、および／またはＭＭＥが配置されているＬＴＥネットワークのＰＬＭＮ識別子、および／またはＭＭＥ識別子、および／またはユーザ機器によって表示された第３のネットワーク名をさらに含み得る点に留意されたい。
【００６３】
たとえば、ＭＭＥは、ＣＳＦＢイベント課金データ記録を出力することができる。この場合、ＭＭＥは、要求メッセージ内で、ユーザ機器によって表示された第３のネットワーク名に対応するＰＬＭＮ識別子を搬送して、要求メッセージをＭＳＣ  ＶＬＲに送信してもよく、要求メッセージ内で、ユーザ機器によって表示された第３のネットワーク名に対応するＰＬＭＮ識別子を搬送せず、要求メッセージをＭＳＣ／ＶＬＲに送信しなくてもよい。上述のＣＳＦＢサービスは、ＣＳＦＢボイスサービス、ＣＳＦＢロケーション制御サービス（ＬＣＳ）、ＣＳＦＢコールインディペンデント補足サービス（ＣＩＳＳ）、およびＣＳＦＢショートメッセージングサービスを含む。特に、この実施形態におけるＣＳＦＢは、ＬＴＥ−＞２／３Ｇ  ＣＳＦＢと、ＬＴＥ−＞１ｘＲＴＴ（１ｘシングルキャリア無線伝送技術）ＣＳＦＢとを含む。
【００６４】
上述のモビリティ管理デバイスは、ＭＭＥとＳＧＳＮのうちの少なくとも１つを含む点に留意されたい。
【００６５】
本発明の実施形態では、課金データ記録情報生成デバイスは、モビリティ管理デバイスが属する第２のネットワークの識別子をユーザ課金データ記録情報に追加して、ユーザ課金データ記録情報を課金デバイスに送信して、課金デバイスが、モビリティ管理デバイスが属する第２のネットワークの識別子を含むユーザ課金データ記録情報に従い、モビリティ管理デバイスが属する第２のネットワークと、現在サービスしている第１のネットワークとの間のネットワーク間コスト決済を実行できるようにする。これは、無線アクセスネットワークが共有される場合、既存の課金データ記録情報生成デバイスによって生成されたユーザ課金データ記録情報に基づいて、異なるネットワークオペレータ間のネットワーク間コスト決済が行われることはできず、モビリティ管理デバイスが属する第２のネットワークの識別子を含まず、いくつかのオペレータの利益の損失が生じる場合があるという問題を解決する。
【００６６】
図２は、本発明の別の実施形態による、課金データ記録情報生成デバイスの概略的構造図である。図２に示されるように、課金データ記録情報生成デバイスは、
モビリティ管理デバイスが属する第２のネットワークの識別子を受信するように構成された受信モジュール２１と、
受信モジュールによって受信された、モビリティ管理デバイスが属する第２のネットワークの識別子に従い、ユーザ課金データ記録情報を生成するように構成されたユーザ課金データ記録情報生成モジュール２２であって、ユーザ課金データ記録情報が、モビリティ管理デバイスが属する第２のネットワークの識別子を含む、ユーザ課金データ記録情報生成モジュール２２とを含む。
【００６７】
第１のネットワークと第２のネットワークは、異なるネットワークである。第１のネットワークの識別子は、これに限定されないが、第１のネットワークのパブリックランドモバイルネットワークＰＬＭＮ識別子を含み、第２のネットワークの識別子は、これに限定されないが、第２のネットワークのＰＬＭＮ識別子を含む。
【００６８】
本発明の実装形態方法では、受信モジュール２１は、モビリティ管理デバイスによって送信された要求メッセージを受信するように特に構成されており、要求メッセージは、モビリティ管理デバイスが属する第２のネットワークの識別子を含む。
【００６９】
上述の要求メッセージは、ロケーション更新要求メッセージ、サービス要求メッセージ、セッション作成要求メッセージ、およびベアラ修正要求のうちの少なくとも１つを含む点に留意されたい。
【００７０】
上述の課金データ記録情報生成デバイスは、モバイルサービス交換センタサーバＭＳＣサーバ、サービング汎用パケット無線サービスサポートノードＳＧＳＮ、ゲートウェイ汎用パケット無線サービスサポートノードＧＧＳＮ、サービングゲートウェイＳＧＷ、パケットデータネットワークゲートウェイＰＧＷ、およびモビリティ管理エンティティＭＭＥのうちの少なくとも１つを含む点に留意されたい。
【００７１】
本発明の実施形態では、課金データ記録情報生成デバイスは、モビリティ管理デバイスが属する第２のネットワークの識別子をユーザ課金データ記録情報に追加して、ユーザ課金データ記録情報を課金デバイスに送信して、課金デバイスが、モビリティ管理デバイスが属する第２のネットワークの識別子を含むユーザ課金データ記録情報に従い、モビリティ管理デバイスが属する第２のネットワークと、現在サービスしている第１のネットワークとの間のネットワーク間コスト決済を実行できるようにする。これは、無線アクセスネットワークが共有される場合、既存の課金データ記録情報生成デバイスによって生成されたユーザ課金データ記録情報に基づいて、異なるネットワークオペレータ間のネットワーク間コスト決済が行われることはできず、モビリティ管理デバイスが属する第２のネットワークの識別子を含まず、いくつかのオペレータの利益の損失が生じる場合があるという問題を解決する。
【００７２】
図３は、本発明の別の実施形態による、課金情報処理方法の概略的流れ図である。図３に示されるように、本方法は以下を含む。
【００７３】
３０１．モビリティ管理デバイスが属する第２のネットワークの識別子に従い、第１のネットワークの課金データ記録情報生成デバイスによって生成されたユーザ課金データ記録情報を受信して、ユーザ課金データ記録情報に従い、第２のネットワークの識別子を取得し、第１のネットワークと第２のネットワークは異なるネットワークである。
【００７４】
第１のネットワークの識別子は、これに限定されないが、第１のネットワークのパブリックランドモバイルネットワークＰＬＭＮ識別子を含み、第２のネットワークの識別子は、これに限定されないが、第２のネットワークのＰＬＭＮ識別子を含む。
【００７５】
本発明の実装形態方法では、上述の課金データ記録情報生成デバイスが、生成されたユーザ課金データ記録情報を課金デバイスに送信してもよく、課金デバイスが、ユーザ課金データ記録情報を取得するために、課金データ記録情報生成デバイスに要求メッセージを送信してもよく、課金データ記録情報生成デバイスが、生成されたユーザ課金データ記録情報を課金デバイスに送信する。
【００７６】
３０２．第２のネットワークの識別子、および第１のネットワークの識別子に従い、オペレータネットワークコスト情報を生成する。
【００７７】
実際の適用では、モビリティ管理デバイスが属する第２のネットワークの識別子に加えて、課金データ記録情報生成デバイスによって生成されたユーザ課金データ記録情報が、たとえば、現在サービスしている第１のネットワークの識別子をさらに含む点に留意されたい。
【００７８】
それに対応して、課金デバイスは、モビリティ管理デバイスが属する第２のネットワークの識別子、およびユーザ課金データ記録情報に含まれる現在サービスしている第１のネットワークの識別子に従い、オペレータネットワークコスト情報を生成する。オペレータネットワークコスト情報は、ユーザのホームパブリックランドモバイルネットワークＨＰＬＭＮオペレータに、現在サービスしている第１のネットワークに対応するオペレータ、およびモビリティ管理デバイスが属する第２のネットワークのオペレータに、それぞれ支払うよう指示するために使用される。特定の実装形態の間、たとえば、ユーザのホームＰＬＭＮ（ＨＰＬＭＮ）オペレータは、現在サービスしている第１のネットワークに対応するオペレータ（たとえば、ＰＧＷ／ＧＧＳＮ  ＰＬＭＮに対応するオペレータ）、およびモビリティ管理デバイスが属する第２のネットワークのオペレータ（たとえば、ＭＭＥが配置されているＬＴＥネットワークのＰＬＭＮ識別子に対応するネットワークのオペレータ）にそれぞれ支払うことができる。
【００７９】
実際の適用では、ＭＳＣは、ユーザ機器が配置されているＭＭＥおよびＣＳセルによって報告されたＥＣＧＩに従い統計を収集する、たとえば、ＥＣＧＩセルに常駐しているどのユーザ機器が、これらのＣＳセル内にフォールバックするかの統計を収集することができる点に留意されたい。
【００８０】
実際の適用では、ＭＭＥが属するネットワークの識別子に加えて、ユーザ課金データ記録情報は、ＭＭＥが配置されているＬＴＥネットワークのＣＳＦＢタイプおよび／またはＥＣＧＩ、および／またはＭＭＥが配置されているＬＴＥネットワークのＰＬＭＮ識別子、および／またはＭＭＥ識別子、および／またはユーザ機器によって表示された第３のネットワーク名をさらに含み得る点に留意されたい。
【００８１】
実際の適用では、ユーザ課金データ記録情報は、サービスタイプ、たとえば、ユーザ課金データ記録がＣＳＦＢによってトリガされることを表示するために使用されるＣＳＦＢ（回線交換フォールバック）表示をさらに含み得る点に留意されたい。さらに、ユーザ課金データ記録情報は、セルをグローバルに識別するために使用される、Ｅ−ＵＴＲＡＮセルグローバル識別子ＥＣＧＩをさらに含み得る。たとえば、課金システムは、ＥＣＧＩ情報に従い、ロケーション課金を実行することができる。
【００８２】
本発明の実施形態では、課金データ記録情報生成デバイスは、モビリティ管理デバイスが属する第２のネットワークの識別子をユーザ課金データ記録情報に追加して、ユーザ課金データ記録情報を課金デバイスに送信して、課金デバイスが、モビリティ管理デバイスが属する第２のネットワークの識別子を含むユーザ課金データ記録情報に従い、モビリティ管理デバイスが属する第２のネットワークと、現在サービスしている第１のネットワークとの間のネットワーク間コスト決済を実行できるようにする。これは、無線アクセスネットワークが共有される場合、既存の課金データ記録情報生成デバイスによって生成されたユーザ課金データ記録情報に基づいて、異なるネットワークオペレータ間のネットワーク間コスト決済が行われることはできず、モビリティ管理デバイスが属する第２のネットワークの識別子を含まず、いくつかのオペレータの利益の損失が生じる場合があるという問題を解決する。
【００８３】
図４は、本発明の別の実施形態による、課金デバイスの概略的構造図である。図４に示されるように、課金デバイスは、
モビリティ管理デバイスが属する第２のネットワークの識別子に従い、第１のネットワークの課金データ記録情報生成デバイスによって生成されたユーザ課金データ記録情報を受信して、ユーザ課金データ記録情報に従い、ユーザ課金データ記録情報に含まれる第２のネットワークの識別子を取得するように構成された取得モジュールであって、第１のネットワークと第２のネットワークが異なるネットワークである取得モジュール４１と、
取得モジュールによって取得された、モビリティ管理デバイスが属する第２のネットワークの識別子に基づいて、取得モジュールによって取得されたモビリティ管理デバイスが属する第２のネットワークの識別子と、第１のネットワークの識別子とに従い、オペレータネットワークコスト情報を生成するように構成された、オペレータネットワークコスト情報生成モジュール４２とを含む。
【００８４】
オペレータネットワークコスト情報は、ユーザのホームパブリックランドモバイルネットワークＨＰＬＭＮオペレータに、第１のネットワークに対応するオペレータ、およびモビリティ管理デバイスが属する第２のネットワークのオペレータに、それぞれ支払うよう指示するために使用される。
【００８５】
第１のネットワークの識別子は、これに限定されないが、第１のネットワークのパブリックランドモバイルネットワークＰＬＭＮ識別子を含み、第２のネットワークの識別子は、これに限定されないが、第２のネットワークのＰＬＭＮ識別子を含む。
【００８６】
本発明の実施形態では、課金データ記録情報生成デバイスは、モビリティ管理デバイスが属する第２のネットワークの識別子をユーザ課金データ記録情報に追加して、ユーザ課金データ記録情報を課金デバイスに送信して、課金デバイスが、モビリティ管理デバイスが属する第２のネットワークの識別子を含むユーザ課金データ記録情報に従い、モビリティ管理デバイスが属する第２のネットワークと、現在サービスしている第１のネットワークとの間のネットワーク間コスト決済を実行できるようにする。これは、無線アクセスネットワークが共有される場合、既存の課金データ記録情報生成デバイスによって生成されたユーザ課金データ記録情報に基づいて、異なるネットワークオペレータ間のネットワーク間コスト決済が行われることはできず、モビリティ管理デバイスが属する第２のネットワークの識別子を含まず、いくつかのオペレータの利益の損失が生じる場合があるという問題を解決する。
【００８７】
図５は、本発明の別の実施形態による、課金情報処理システムの概略的構造図である。図５に示されるように、課金情報処理システムは、図２に示される装置実施形態内の課金データ記録情報生成デバイス５１、および図４に示される装置実施形態内の課金デバイス５２を含む。
【００８８】
課金データ記録情報生成デバイス５１の関連コンテンツについては、図２に対応する実施形態における関連記述が参照されてよい。課金デバイス５２の関連コンテンツについては、図４に対応する実施形態における詳細な説明が参照されてよく、本明細書ではさらに説明しない。
【００８９】
本システムは、
要求メッセージを課金データ記録情報生成デバイスに送信するように構成されたモビリティ管理デバイス５３であって、要求メッセージが、モビリティ管理デバイスが属する第２のネットワークの識別子を含む、モビリティ管理デバイス５３をさらに含む。
【００９０】
本発明の実施形態では、課金データ記録情報生成デバイスは、モビリティ管理デバイスが属する第２のネットワークの識別子をユーザ課金データ記録情報に追加して、ユーザ課金データ記録情報を課金デバイスに送信して、課金デバイスが、モビリティ管理デバイスが属する第２のネットワークの識別子を含むユーザ課金データ記録情報に従い、モビリティ管理デバイスが属する第２のネットワークと、現在サービスしている第１のネットワークとの間のネットワーク間コスト決済を実行できるようにする。これは、無線アクセスネットワークが共有される場合、既存の課金データ記録情報生成デバイスによって生成されたユーザ課金データ記録情報に基づいて、異なるネットワークオペレータ間のネットワーク間コスト決済が行われることはできず、モビリティ管理デバイスが属する第２のネットワークの識別子を含まず、いくつかのオペレータの利益の損失が生じる場合があるという問題を解決する。
【００９１】
当業者は、上述の実施形態は、ＬＴＥと１ｘＲＴＴ、たとえばｌｘＣＳＦＢとｌｘＳＲＶＣＣとの間の相互運用に適用可能であることを明確に理解することができる。
【００９２】
さらに、ＣＳＦＢシナリオでは、ユーザ機器が、ＣＳＦＢサービスを開始するために任意の利用可能なＣＳネットワーク内でフォールバックし得るので、オプションのソリューションは、ネットワークが課金間隔をユーザ機器に通知して、ユーザ機器が課金情報をユーザに表示することである。たとえば、音声料金は、１分当たり１元から１０元である。さらに、ユーザ機器は、ＬＴＥオペレータネットワーク名と、２Ｇ／３Ｇ  ＣＳオペレータネットワーク名とを同時に表示することができる（たとえば、ネットワーク表示が全く受信されていない場合）。２／３Ｇ  ＣＳオペレータのネットワーク名は、ユーザ機器によってジョイントアタッチメントまたはロケーション更新を実行する過程でＭＭＥによって選択されたＭＳＣＶＬＲに対応するＣＳネットワークオペレータのネットワーク名でもよく、別のＣＳネットワークオペレータのネットワーク名でもよい。さらに、ユーザ機器は、複数のＣＳネットワークオペレータのネットワーク名を同時に表示することができる。
【００９３】
任意で、ＣＳＦＢサービス処理において、ユーザ機器が、ＰＬＭＮが変更されたこと、すなわち、ＬＴＥネットワークのＰＬＭＮが、フォールバックした２Ｇ／３Ｇ  ＣＳネットワークのＰＬＭＮとは異なることを発見すると、ユーザ機器はこの変更をユーザに通知する。たとえば、ユーザ機器は単語や音声でユーザにメッセージを表示する。
【００９４】
本発明の別の実施形態は、第１のネットワークに配置された、プロセッサを含む、課金データ記録情報生成デバイスを提供する。プロセッサが実行されると、プロセッサは、
モビリティ管理デバイスが属する第２のネットワークの識別子を受信するステップと、
ユーザ課金データ記録情報を生成するステップであって、ユーザ課金データ記録情報が、モビリティ管理デバイスが属する第２のネットワークの識別子を含む、ステップとを実行する。
【００９５】
特定の実装形態の間、モビリティ管理デバイスが属する第２のネットワークの識別子を受信するステップは、
モビリティ管理デバイスによって送信された要求メッセージを受信するステップであって、要求メッセージが、モビリティ管理デバイスが属する第２のネットワークの識別子を含む、ステップを含む。
【００９６】
要求メッセージは、ロケーション更新要求メッセージ、サービス要求メッセージ、セッション作成要求メッセージ、およびベアラ修正要求のうちの少なくとも１つを含む。
【００９７】
第１のネットワークと第２のネットワークは異なるネットワークである。第１のネットワークの識別子は、これに限定されないが、第１のネットワークのパブリックランドモバイルネットワークＰＬＭＮ識別子を含み、第２のネットワークの識別子は、これに限定されないが、第２のネットワークのＰＬＭＮ識別子を含む。
【００９８】
課金データ記録情報生成デバイスは、モバイルサービス交換センタサーバＭＳＣサーバ、サービング汎用パケット無線サービスサポートノードＳＧＳＮ、ゲートウェイ汎用パケット無線サービスサポートノードＧＧＳＮ、サービングゲートウェイＳＧＷ、パケットデータネットワークゲートウェイＰＧＷ、およびモビリティ管理エンティティＭＭＥのうちの少なくとも１つを含む。
【００９９】
モビリティ管理デバイスは、モビリティ管理エンティティＭＭＥと、サービング汎用パケット無線サービスサポートノードＳＧＳＮのうちの少なくとも１つを含む。
【０１００】
具体的には、課金データ記録情報生成デバイスは、プロセッサに加えて、メモリ、バス、およびハードディスクなどの構成要素をさらに含み、プロセッサは、バスを通じてメモリおよびハードディスクにそれぞれ接続されている。
【０１０１】
本発明の別の実施形態は、プロセッサを含む課金デバイスを提供する。プロセッサが実行されると、プロセッサは、
ユーザ課金データ記録情報に従い、ユーザ課金データ記録情報に含まれる、モビリティ管理デバイスが属する第２のネットワークの識別子を取得するステップであって、ユーザ課金データ記録情報が、モビリティ管理デバイスが属する第２のネットワークの識別子に従い第１のネットワークの課金データ記録情報生成デバイスによって生成される、ステップと、
モビリティ管理デバイスが属する第２のネットワークの識別子と、第１のネットワークの識別子とに従い、オペレータネットワークコスト情報を生成するステップとを実行する。
【０１０２】
オペレータネットワークコスト情報は、ユーザのホームパブリックランドモバイルネットワークＨＰＬＭＮオペレータに、現在サービスしている第１のネットワークに対応するオペレータ、およびモビリティ管理デバイスが属する第２のネットワークのオペレータに、それぞれ支払うよう指示するために使用される。
【０１０３】
第１のネットワークと第２のネットワークは異なるネットワークである。第１のネットワークの識別子は、これに限定されないが、第１のネットワークのパブリックランドモバイルネットワークＰＬＭＮ識別子を含み、第２のネットワークの識別子は、これに限定されないが、第２のネットワークのＰＬＭＮ識別子を含む。
【０１０４】
具体的には、課金デバイスは、プロセッサに加えて、メモリ、バス、およびハードディスクなどの構成要素をさらに含み、プロセッサは、バスを通じてメモリおよびハードディスクにそれぞれ接続されている。
【０１０５】
本発明の実施形態では、課金データ記録情報生成デバイスは、モビリティ管理デバイスが属する第２のネットワークの識別子をユーザ課金データ記録情報に追加して、ユーザ課金データ記録情報を課金デバイスに送信して、課金デバイスが、モビリティ管理デバイスが属する第２のネットワークの識別子を含むユーザ課金データ記録情報に従い、モビリティ管理デバイスが属する第２のネットワークと、現在サービスしている第１のネットワークとの間のネットワーク間コスト決済を実行できるようにする。これは、無線アクセスネットワークが共有される場合、既存の課金データ記録情報生成デバイスによって生成されたユーザ課金データ記録情報に基づいて、異なるネットワークオペレータ間のネットワーク間コスト決済が行われることはできず、モビリティ管理デバイスが属する第２のネットワークの識別子を含まず、いくつかのオペレータの利益の損失が生じる場合があるという問題を解決する。
【０１０６】
当業者には、上述のシステム、装置、およびユニットの詳細な作業工程についての便利で簡単な説明のために、上述の方法実施形態における対応する処理が参照されてよいことが明確に理解されよう。したがって、本明細書では詳細を再び説明しない。
【０１０７】
本出願において提供されるいくつかの実施形態では、開示されるシステム、装置、および方法は他の方法で実装され得ることが理解されるべきである。たとえば、説明される装置実施形態は例示的なものにすぎない。たとえば、ユニット部門は、論理的機能部門にすぎず、実際の実装形態では他の部門でもよい。たとえば、複数のユニットまたは構成要素は、結合されてもよく、別のシステムに統合されてもよく、またはいくつかの機能が無視されてもよく、実行されなくてもよい。さらに、表示された、または議論された相互結合、直接結合、または通信接続は、いくつかのインターフェースを通じて実装され得る。装置またはユニット間の間接結合または通信接続は、電子的、機械的、または他の形態で実装され得る。
【０１０８】
別の部分として説明されたユニットは、物理的に分離していてもよく分離していなくてもよく、またユニットとして表示された部分は物理的ユニットでもよく物理的ユニットではなくてもよく、ある位置に配置されてもよく、複数のネットワークユニットに分散されてもよい。ユニットの一部またはすべては、本実施形態のソリューションの目的を達成するために実際のニーズに応じて選択され得る。
【０１０９】
さらに、本発明の実施形態における機能ユニットは、１つの処理ユニットに統合されてもよく、それぞれのユニットが物理的に単独で存在してもよく、複数のユニットが１つのユニットに統合されてもよい。統合されたユニットは、ハードウェアの形態で実装されてもよく、ハードウェアに加えてソフトウェア機能ユニットの形態で実装されてもよい。
【０１１０】
ソフトウェア機能ユニットの形態で実装された統合されたユニットは、コンピュータ可読記憶媒体に格納され得る。ソフトウェア機能ユニットは記憶媒体に格納され、コンピュータデバイス（パーソナルコンピュータ、サーバ、ネットワークデバイス、または同等物でよい）に、本発明の実施形態に記載の方法のステップの一部を実行するよう指示するためのいくつかの命令を含む。記憶媒体は、リムーバブルハードディスク、読出し専用メモリ（略してＲＯＭ）、ランダムアクセスメモリ（略してＲＡＭ）、磁気ディスク、または光ディスクなどの、プログラムコードを格納することができる任意の媒体を含む。
【０１１１】
最後に、上述の実施形態は、本発明を限定することを意図するものではなく、本発明の技術的ソリューションを説明することを意図するものにすぎない点に留意されたい。本発明は、上述の実施形態を参照して詳細に説明されているが、当業者は、そのような修正および置換が対応する技術的ソリューションの本質を本発明の実施形態の技術的ソリューションの範囲から逸脱させない限り、上述の実施形態に記載の技術的ソリューションに依然として修正を行ってもよく、それらのいくつかの技術的特徴に同等の置換を行ってもよいことを理解するべきである。
【手続補正２】
【補正対象書類名】特許請求の範囲
【補正対象項目名】全文
【補正方法】変更
【補正の内容】
【特許請求の範囲】
【請求項１】
第１のネットワークの課金データ記録情報生成デバイスによって、モビリティ管理デバイスが属する第２のネットワークの識別子を受信するステップであって、前記第１のネットワークと前記第２のネットワークが異なるネットワークである、ステップと、
前記課金データ記録情報生成デバイスによって、ユーザ課金データ記録情報を生成するステップであって、前記ユーザ課金データ記録情報が前記第２のネットワークの前記識別子を含む、ステップと
を備えることを特徴とする課金情報処理方法。
【請求項２】
課金データ記録情報生成デバイスによって、モビリティ管理デバイスが属する第２のネットワークの識別子を受信する前記ステップは、
前記課金データ記録情報生成デバイスによって、前記モビリティ管理デバイスによって送信された要求メッセージを受信するステップであって、前記要求メッセージが、前記モビリティ管理デバイスが属する前記第２のネットワークの前記識別子を備える、ステップを備えることを特徴とする請求項１に記載の方法。
【請求項３】
前記要求メッセージは、ロケーション更新要求メッセージ、サービス要求メッセージ、セッション作成要求メッセージ、およびベアラ修正要求のうちの少なくとも１つを備えることを特徴とする請求項２に記載の方法。
【請求項４】
前記第２のネットワークの前記識別子は、前記第２のネットワークのパブリックランドモバイルネットワーク（ＰＬＭＮ）識別子、前記第２のネットワークのセル識別子、および前記モビリティ管理デバイスの識別子のうちの少なくとも１つを備えることを特徴とする請求項１乃至３のいずれか一項に記載の方法。
【請求項５】
前記課金データ記録情報生成デバイスは、モバイルサービス交換センタサーバ（ＭＳＣサーバ）、サービング汎用パケット無線サービスサポートノード（ＳＧＳＮ）、ゲートウェイ汎用パケット無線サービスサポートノード（ＧＧＳＮ）、サービングゲートウェイ（ＳＧＷ）、パケットデータネットワークゲートウェイ（ＰＧＷ）、およびモビリティ管理エンティティ（ＭＭＥ）のうちの少なくとも１つを備えることを特徴とする請求項１乃至３のいずれか一項に記載の方法。
【請求項６】
前記モビリティ管理デバイスは、モビリティ管理エンティティ（ＭＭＥ）と、サービング汎用パケット無線サービスサポートノード（ＳＧＳＮ）とのうちの少なくとも１つを備えることを特徴とする請求項１乃至３のいずれか一項に記載の方法。
【請求項７】
第１のネットワークに配置された課金データ記録情報生成デバイスであって、
モビリティ管理デバイスが属する第２のネットワークの識別子を受信するように構成された受信モジュールであって、前記課金データ記録情報生成デバイスが属する前記第１のネットワークと前記第２のネットワークが異なるネットワークである受信モジュールと、
前記受信モジュールによって受信された前記第２のネットワークの前記識別子に従い、ユーザ課金データ記録情報を生成するように構成されたユーザ課金データ記録情報生成モジュールであって、前記ユーザ課金データ記録情報が前記第２のネットワークの前記識別子を備えるユーザ課金データ記録情報生成モジュールと
を備えることを特徴とする課金データ記録情報生成デバイス。
【請求項８】
前記受信モジュールは、前記モビリティ管理デバイスによって送信された要求メッセージを受信するように特に構成され、前記要求メッセージが、前記モビリティ管理デバイスが属する前記第２のネットワークの前記識別子を備えることを特徴とする請求項７に記載の課金データ記録情報生成デバイス。
【請求項９】
前記要求メッセージは、ロケーション更新要求メッセージ、サービス要求メッセージ、セッション作成要求メッセージ、およびベアラ修正要求のうちの少なくとも１つを備えることを特徴とする請求項８に記載の課金データ記録情報生成デバイス。
【請求項１０】
前記第２のネットワークの前記識別子は、前記第２のネットワークのパブリックランドモバイルネットワーク（ＰＬＭＮ）識別子、前記第２のネットワークのセル識別子、および前記モビリティ管理デバイスの識別子のうちの少なくとも１つを備えることを特徴とする請求項７乃至９のいずれか一項に記載の課金データ記録情報生成デバイス。
【請求項１１】
前記課金データ記録情報生成デバイスは、モバイルサービス交換センタサーバＭＳＣサーバ、サービング汎用パケット無線サービスサポートノードＳＧＳＮ、ゲートウェイ汎用パケット無線サービスサポートノードＧＧＳＮ、サービングゲートウェイＳＧＷ、パケットデータネットワークゲートウェイＰＧＷ、およびモビリティ管理エンティティＭＭＥのうちの少なくとも１つを備えることを特徴とする請求項７乃至９のいずれか一項に記載の課金データ記録情報生成デバイス。
【請求項１２】
モビリティ管理デバイスが属する第２のネットワークの識別子に従い、第１のネットワークの課金データ記録情報生成デバイスによって生成された、ユーザ課金データ記録情報を受信するステップと、
前記ユーザ課金データ記録情報に従い前記第２のネットワークの識別子を取得するステップであって、前記第１のネットワークと前記第２のネットワークが異なるネットワークである、ステップと、
前記第２のネットワークの前記識別子と、前記第１のネットワークの識別子とに従い、オペレータネットワークコスト情報を生成するステップと
を備えることを特徴とする課金情報処理方法。
【請求項１３】
前記オペレータネットワークコスト情報は、ユーザのホームパブリックランドモバイルネットワークＨＰＬＭＮオペレータに、前記第１のネットワークに対応するオペレータ、および前記モビリティ管理デバイスが属する前記第２のネットワークのオペレータに、それぞれ支払うよう指示するために使用されることを特徴とする請求項１２に記載の方法。
【請求項１４】
前記第２のネットワークの前記識別子は、前記第２のネットワークのパブリックランドモバイルネットワーク（ＰＬＭＮ）識別子、前記第２のネットワークのセル識別子、および前記モビリティ管理デバイスの識別子のうちの少なくとも１つを備えることを特徴とする請求項１２または１３に記載の方法。
【請求項１５】
モビリティ管理デバイスが属する第２のネットワークの識別子に従い、第１のネットワークの課金データ記録情報生成デバイスによって生成されたユーザ課金データ記録情報を受信して、前記ユーザ課金データ記録情報に従い前記第２のネットワークの前記識別子を取得するように構成された取得モジュールであって、前記第１のネットワークと前記第２のネットワークが異なるネットワークである取得モジュールと、
前記取得モジュールによって取得された、前記モビリティ管理デバイスが属する前記第２のネットワークの前記識別子と、前記第１のネットワークの識別子とに従い、オペレータネットワークコスト情報を生成するように構成されたオペレータネットワークコスト情報生成モジュールと
を備えることを特徴とする課金デバイス。
【請求項１６】
前記オペレータネットワークコスト情報は、ユーザのホームパブリックランドモバイルネットワーク（ＨＰＬＭＮ）オペレータ、前記第１のネットワークに対応するオペレータ、および前記モビリティ管理デバイスが属する前記第２のネットワークのオペレータにそれぞれ支払うよう指示するために使用されることを特徴とする請求項１５に記載の課金デバイス。
【請求項１７】
前記第２のネットワークの前記識別子は、前記第２のネットワークのパブリックランドモバイルネットワーク（ＰＬＭＮ）識別子、前記第２のネットワークのセル識別子、および前記モビリティ管理デバイスの識別子のうちの少なくとも１つを備えることを特徴とする請求項１５または１６に記載の課金デバイス。
【請求項１８】
請求項７乃至１１のいずれか一項に記載の前記課金データ記録情報生成デバイスと、
請求項１５乃至１７のいずれか一項に記載の前記課金デバイスと
を備えることを特徴とする課金情報処理システム。
【請求項１９】
要求メッセージを前記課金データ記録情報生成デバイスに送信するように構成されたモビリティ管理デバイスであって、前記要求メッセージが、前記モビリティ管理デバイスが属する第２のネットワークの識別子を備えるモビリティ管理デバイスをさらに備えることを特徴とする請求項１８に記載の課金情報処理システム。
【請求項２０】
請求項１乃至６および１２乃至１４のいずれかの方法をコンピュータに実行させるためのプログラム。
【国際調査報告】
2015537404.tif 000008
2015537404.tif 000009
2015537404.tif 000010
2015537404.tif 000011